(57)【特許請求の範囲】
【請求項１】
移動体の運転席と助手席との間に挟まれる位置に設けられ、所望の機器を配設可能な配設手段、この配設手段を上記移動体の前後方向に沿って移動可能に案内する案内手段と、指令に基づき、上記案内手段に沿って上記配設手段を移動させる移動手段、上記移動体内に設けられた複数の座席位置それぞれと上記移動手段により上記配設手段を所定位置に位置決めさせる移動設定値とを対応させて記憶した記憶手段と、上記配設手段の移動を行うよう指令信号を出力する操作手段と、この操作手段からの指令に基づき、上記記憶手段から所定の移動設定値を選択する設定値選択手段と、この設定値選択手段が選択した移動設定値に基づき、上記移動手段が上記配設手段を上記案内手段に沿って移動させ所定位置に位置決めするよう移動制御する移動制御手段とを備え、
上記移動体内前方に設置した機器下方に上記配設手段の少なくとも一部を収納する収納スペースが形成されるとともに、上記案内手段は上記配設手段を上記収納スペースまで案内可能にし、
上記配設手段は内部に表示手段を収納する収納部が設けられるとともに上記表示手段が上記配設手段から突出可能に配設され、上記記憶手段は移動設定値とともに上記表示手段を突出させるか否かを各座席それぞれに対応するよう設定した表示手段突出設定値とを記憶し、上記設定値選択手段は上記記憶手段から所定の移動設定値及び表示手段突出設定値を選択し、上記移動制御手段は上記設定値選択手段が選択した移動設定値及び表示手段突出設定値に基づき、上記移動手段により上記配設手段を上記案内手段に沿って移動させ所定位置に位置決めするとともに、上記表示手段を所定位置まで突出または収納させるよう制御するよう構成し、上記配設手段が収納スペースまで案内された際は、上記表示手段を上記配設手段の内部に収納し、移動体内前方に設置した表示部のみで表示を行うことを特徴とする移動体用機器配設装置。
【請求項２】
移動体の運転席と助手席との間に挟まれる位置に設けられ、所望の機器を配設可能であって、内部に収納可能で外部に突出可能な表示手段と筐体表面から突出可能で所定機器の操作を行う操作手段とを設けた配設手段と、上記移動体内前方に上記配設手段の少なくとも一部が収納される収納スペースと、上記配設手段を上記移動体の前後方向に沿って移動可能に案内するとともに上記配設手段を上記収納スペースまで案内可能にした案内手段、指令に基づき、上記案内手段に沿って上記配設手段を移動させる移動手段、上記移動体内に設けられた複数の座席位置それぞれと、上記移動手段により上記配設手段を所定位置に位置決めさせる上記配設手段の移動設定値と上記表示手段を突出させるか否かを設定する表示手段突出設定値と上記操作手段を突出させるか否かを設定する操作手段突出設定値とを対応して記憶した記憶手段と、指令に基づき、この記憶手段から所定の移動設定値、表示手段突出設定値及び操作手段突出設定値を選択する設定値選択手段と、この設定値選択手段が選択した移動設定値、表示手段突出設定値及び操作手段突出設定値に基づき、上記移動手段が上記配設手段を上記案内手段に沿って移動させ所定位置に位置決めするとともに、上記表示手段及び操作手段を所定位置まで突出または収納させるよう制御する移動制御手段とを備え、上記配設手段が上記移動手段により上記収納スペースまで案内された際は、上記表示手段を上記配設手段の内部に収納し、移動体内前方に設置された表示部のみで表示を行うことを特徴とする移動体用機器配設装置。
【請求項３】
配設手段に配設された機器の出力信号を無線信号に変換し、この変換された無線出力信号に基いて、可視情報が含まれている場合は、移動体前方に設置された表示部に所定の情報を表示するように構成したことを特徴とする請求項２に記載の移動体用機器配設装置。
【請求項４】
配設手段を移動させる際、表示手段に複数の座席位置を示す情報を一覧表示させ、この一覧表示から所望の座席位置を選択操作し、この選択された座席位置に対応する移動設定値及び表示手段突出設定値及び操作手段突出設定値を記憶手段から選択し、移動手段が上記配設手段を案内手段の所定箇所まで移動させて位置決めすることを特徴とする請求項２に記載の移動体用機器配設装置。
【請求項５】
移動体内に設置された各座席の着座者の有無を判断する着座者有無判断手段と、この着座者有無判断手段の判断により着座者がいると判断した座席位置の情報を表示手段に一覧表示させることを特徴とする請求項４に記載の移動体用機器配設装置。
【請求項６】
移動体内に設置された座席の内、着座者がいる座席を対象とした着座者保護の動作制御を行う着座者保護動作制御手段を設け、この着座者保護動作制御手段が保護動作の対象とする座席のみの情報を表示手段に一覧表示させることを特徴とする請求項４に記載の移動体用機器配設装置。
【発明の詳細な説明】
【技術分野】
【０００１】
この発明は自動車等の移動体に搭載される音響機器や映像再生機器などの機器の配設する配設手段を運転席と助手席との間に挟まれる位置に設けた移動体用機器配設装置に関するものである。
【背景技術】
【０００２】
図４６は、従来の自動車における車室内の概略構成を示す概略構成図である。
この図４６に示すように、従来の自動車において、１は車室内の前部に設けられたインストゥルメントパネル、２はインストゥルメントパネル１の中央部１ａに設けられたラジオ受信機やカセットデッキプレーヤやＣＤプレーヤ等のオーディオ、３はインストゥルメントパネル１の中央上部に設けられたダッシュボード、４はインストゥルメントパネル１の右側に設けられたステアリングホイール、５は前席であり、この前席５には運転席５ａ、助手席５ｂとが左右に並べて設けられている。
また、６は運転席５ａと助手席５ｂとの間に挟まれた位置に設置されたセンターコンソールボックスである。
従来、オーディオ２は、インストゥルメントパネル１の中央部１ａに設置するように構成したものが主流である。
一方、近年になってナビゲーション装置が普及し始め、運転席５ａや助手席５ｂ等の前側座席下にナビゲーション装置本体（図示せず）を設置して、ナビゲーション装置から出力される地図情報を表示する表示部をインストゥルメントパネル１の中央部近傍に設置したり、オーディオの設置スペースを小さくして、表示部をインストゥルメントパネル１の中央部上方に設置、即ち、ダッシュボード３の中に埋設するようにしたものや、また、インストゥルメントパネル１の運転席側に設置されていた制動系の状態を示す計器類をインストゥルメントパネル１の中央部に設置するように構成したものが出始めており、このような構成が今後の主流になりつつある。
また、表示部の設置においては、インストゥルメントパネル１の中央部上方に設置、即ち、ダッシュボード３の中に埋設するように構成したものや、運転席５ａや助手席５ｂの上部であるヘッドレスト（頭部支承部）に支持部を介して表示部を設けるように構成したものがある。
さらに、天井部の前席と後席との中間付近に固定されたモニタ部を設け、後席の搭乗者がモニタ部を利用してテレビやビデオ、ＤＶＤ等の映像を表示可能に構成したものもある。
このような背景のもと、特許文献１において、従来、インストゥルメントパネル１の中央部に設置されていたオーディオ装置やエアコン等のスイッチ類を運転席５ａと助手席５ｂとの間に設置されたセンターコンソール６に設けたものが記載されており、図４７は、この要部を示す要部構成図である。
図４７において、１は車室内の前部に設けられたインストゥルメントパネル、３はインストゥルメントパネル１の中央上部に設けられたダッシュボード、４はインストゥルメントパネル１の右側に設けられたステアリングホイール、５は前席であり、この前席５には運転席５ａ、助手席５ｂとが左右に並べて設けられている。
６は運転席５ａと助手席５ｂとの間に挟まれた位置に設置されたセンターコンソールボックス、７はインストゥルメントパネル１の中央下部に設けられたギアチェンジレバー、８はインストゥルメントパネル１の中央上部に設けられたディスプレイである。
また、図４８に示すように、センターコンソールボックス６には蓋６ａを設け、この蓋６ａにより開閉される収納部がセンターコンソールボックス６内部に形成されている。
さらに、センターコンソールボックス６の前方の一部に、凹部状に形成されたスイッチ配設部９が設けられており、このスイッチ配設部９にリモコンユニット１０が着脱可能に嵌着されるように構成されている。
このように構成したことにより、自動車の運転席や助手席に座っている搭乗者が通常の着座姿勢のまま簡単にスイッチ操作することができるものである。
また、特許文献２において、バスの車内に装備されるテレビ受信機、温冷蔵庫等の乗客サービス用備品及び乗客用飲食物の物品を車内前後に移動するための搬送ケースを示しており、図４９はこの装置の概略構成を示した概略構成図、図５０はテレビ受信機が搬送ケース内に収納された状態の断面図である。
図４９、図５０において、２１は収納ケース２５（後述する）の一面に配設されたテレビ受信機の表示部、２２は移動体としてのバス、２３はバス２２に設置されたシート、２４はバス２２の天井の略中央部に設けられたレール、２５はレール２４に移動可能に吊り下げられた搬送ケース、２６はレール２４に搬送ケース２５が摺動支持されるローラ部である。
このように構成したことにより、テレビ受信機等の乗客サービス用備品又は乗客飲食物等の物品を収納した搬送ケースが車内で簡単に移動でき、備品や飲食物等が不要な際は、乗客の視界障害を解消するとともに飲食物等の物品を各乗客に簡単に配ることができるものである。
さらにまた、特許文献３において、自動車のルームミラー本体にモニタを内設した車両用監視装置が示されており、図５１はこの装置の要部構成を示した分解斜視図であり、図５２は要部構成の断面を示した要部断面図、図５３は要部への表示例を示した説明図である。
これら図５１、図５２、図５３において、ルームミラー本体３０は、車体の運転席の前方の車室内天井面に設置されており、このルームミラー本体３０は、車体の後方を写すバックミラーの機能と、車体の後方を撮影するリア撮像カメラのリアモニタの機能を有しており、構造としては、筐体３１と、モニタ３２と、ハーフミラー３３と、枠体３４と、アーム３５とで構成されており、モニタ３２の電源が投入され、ギアチェンジでリバースにした際、図５３に示すような表示がモニタ３２になされる。この図５３では、左右２画面に分割され、右側にはカメラで撮影された後方映像を表示し、左側には注意事項が表示されるようになっている。
このように構成したことにより、リア撮像カメラからの映像を確認することで、車体の後方を視認することができるものである。
さらに、従来の自動車においては、バックミラー（ルームミラー）が運転席近傍の天井部に取り付けられ、追い越し確認や車線変更等を行うなど自動車の後方を確認する際、バックミラーにより後方の状況を写し出されたものを見て運転者は後方を確認できるようになっているが、バックミラーより後方の車室内において後方視界を遮るものがある場合、バックミラーにより後方確認がし難くなることがある。例えば、配送専用車のように運転席後方に多量の荷物を搭載した状態にあっては、バックミラーと車両後部の窓（リアウィンドウ）の間が荷物によって後方視界が遮られることが多い。
このような背景のもと、上記問題を解決するために、特許文献４に記載の装置が提案されており、図５４は、この公報に示された要部を示す要部説明図である。
図５４において、この装置は、車両の後部に車両後方の視界を十分確保できる位置に撮像装置（図示せず）を設けるとともに、車両の運転席の天井部に撮像装置で撮像された映像をフロントガラスに向って映写する表示装置４１と、この表示装置４１により映写された映像を運転者の視界に入るよう反射させる反射鏡４２とを配設して構成したものであり、このように構成することにより車室内の荷物等により後方視界が遮られても常時、後方の映像を運転者に見せることができるように構成されている。
一方、車室内で後席の搭乗者が利用できるディスプレイを備えた車両用後方確認装置が特許文献５に提案されており、この公報に示された要部の使用状態を示す要部説明図を図５５に示す。この図５５において、車両の後退ギヤが操作されるとＯＮするリバーススイッチ５１と、車両の後方死角を撮影するＣＣＤカメラ５２と、テレビ放送受信用のアンテナ５３と、テレビチューナ５４と、後席乗員用のテレビ操作スイッチ５５と、前後席の中間部の天井近くの位置に配置された液晶ディスプレイ５６と、この液晶ディスプレイを車両の天井部から支持し、かつ液晶ディスプレイの画面の向きを運転席側、後席乗員側に回転駆動する電気モータで成るディスプレイ駆動部５７と、これらの各機器の動作を制御する制御部５８とから構成されている。
このように構成したことにより、車室内から窓ガラス越しに車両後方、側方を確認できる車両において、運転手が車両を後退させる時に車両後方を向くことで、車両後方の死角部分については後方を向いたまま、視線をディスプレイの方に移動させ、その表示内容を見て確認することができるようになり、後退運転時の後方確認のための運転手の負担を軽減させることができるものである。
また、従来、自動車で外出する際に買物をすることもよくあり、買物をした際に店員から手渡されるレシートを自宅まで持ち帰って自宅で家計簿を付けたり、気に入ったお店があった際などは、メモしておくなどのことで対応していた。
さらに、ナビゲーション装置にて観光ガイドブック等を見ながら気に入った場所を目的地に設定する際は、使用者が幾つもの階層から構成されているメニュー画面を逐一操作にて設定していた。
【先行技術文献】
【特許文献】
【０００３】
【特許文献１】特開平１０−２９７３９１号公報
【特許文献２】実願平４−８６６３８号（実開平６−４９２２０号公報）
【特許文献３】特開平１１−７８６９３号公報
【特許文献４】特開平４−７１９３９号公報
【特許文献５】特開平１１−１２９８１５号公報
【発明の概要】
【発明が解決しようとする課題】
【０００４】
従来の自動車用音響装置や映像再生装置は、以上のように自動車内に取り付けられ固定されている、即ち、移動不可能なようにインストゥルメントパネルの中央部付近に設置されていることが多く、このように構成されたものにおいては、インストゥルメントパネルの中央部では設置スペースが限られているため、このスペースに設置する装置を使用者が厳選する必要があり、特に、自動車内で多種多様な音響装置や映像再生装置等を利用したいユーザにとって選択自由度が低いなど利便性が悪いという問題があった。
また、インストゥルメントパネルの中央部に音響装置を設置しているために、特に、カセットテープ、ＤＡＴ、ＣＤ、ＭＤ、ＤＶＤ等の記録媒体の交換や、各装置の設定操作や複数の装置を同時に設定操作することなどは、前席である運転席と助手席の着座者しか行なうことができず、前席の着座者以外、即ち、後席の着座者は着座している状態では上記したようなことが行なえず、後席の着座者の利便性が極めて悪いという問題があった。
また、インストゥルメントパネルの中央部に映像再生装置等からの可視情報を表示する表示手段を設置するものにおいて、前席の着座者には視認性が高いが、後席の着座者にとって表示手段から離れるために、視認性が低下するという問題があった。
また、音響装置や映像再生装置の操作をする際、通常、これらの操作手段は装置と一体に構成されているため、インストゥルメントパネルの中央部に手を伸ばして操作する必要があり、後席の着座者は操作できない上、前席の着座者でさえも、シートにもたれた姿勢から前かがみの姿勢に変えて操作しなければならず、手軽に操作を行なえないという問題があった。
また、操作手段をリモートコントローラ（以下、リモコンと称す）として装置から離脱するものもあるが、このような構成のものは、リモコンによる操作の後、リモコンを収納箇所から離脱させたままにしておくことが多々あり、リモコンは通常、小型なものであるため、操作手段の行方が分からなくなり、操作する際、リモコンを探さなければならないことに陥ったりする問題もあった。
また、音響機器や映像再生機器等は、インストゥルメントパネルの中央部に設置され、インストゥルメントパネル内で配線等の接続が行なわれるように固定されているため、狭いスペースしかないインストゥルメントパネルにおいて、設置したい機器数が限定され、設置する際は、より機器を厳選する必要があり、装置の発展性を低下させ、使用者の利便性が低下するという問題があった。
さらに、インストゥルメントパネルの中央部に表示手段とともに、この表示手段の表示内容を操作するためのタッチパネル等の操作手段が設けられているため、この操作手段を操作する際において、操作手段への操作を行なう際は、シートにもたれた姿勢から前かがみの姿勢に変えて操作するか、もしくは、手を伸ばして操作しなければならず、手軽に操作を行なえないという問題があった。
また、移動体の中でもバスなどのように座席間が搭乗者の通路になっている場合、フロアは搭乗者の通行を妨げるため、何も設置できないという問題があった。
一方、バスの天井部に設けたレール部に吊り下げて配設したテレビ受信機がバスの前後方向に移動可能に構成されているものもあるが、車内に設置されている座席位置とテレビ受信機の移動停止位置との関係を持たせているものではないため、使用者が着座している座席に対応した位置になるようテレビ受信機の位置を使用者が使用する度にテレビ受信機の移動を調整しながら停止しなければならず、使用者の利便性が悪いという問題があった。
また、後席の着座者がテレビ受信機を使用しない場合でも、常に単独で配置されているために、運転者などの搭乗者の邪魔になるという問題があった。
さらに、ルームミラーより後方の天井部に突出物がある場合、この突出物によりルームミラーの後方視界が遮られ、運転者が後方確認をしにくくなるという問題があり、また、このような状況は、後退時だけでなく、通常の走行開始時や走行時の車線変更や右左折時など、即ち、後方確認が必要な場合に発生するという問題があった。
しかしながら、従来は車両の運転席の天井部に撮像装置で撮影された映像をフロントガラスに向って映写する表示装置と、この表示装置により映写された映像を運転者の視界に入るよう反射させる反射鏡とで構成しているため、後方の映像を反射鏡で見る際は、常時、撮像装置で撮影された後方映像を見ることになり、車内の後部座席等に荷物がない際、即ち、後方視界が良好な場合でも、撮像装置及び表示装置が動作しているため、消費電力が発生し、車載バッテリがあがりやすいという問題があった。
また、従来は運転手が車両を後退させる時に車両後方を向いたまま、視線を前後席の中間部の天井近くに設けたディスプレイの方に移動させ、その表示内容を見て確認することができるよう構成しているため、ディスプレイの画面の向きを運転席側、後席乗員側に回転駆動させるディスクプレイ駆動部が必要になり、部品点数が多くなるという問題があった。
また、車両を後退させる場合は、後席の搭乗者が前後席の中間部の天井近くに設けたディスプレイの内容を見て楽しんでいても、ディスプレイの画面を運転席側に回転させるため、この間、後席の搭乗者はディスプレイを利用できなくなり、後席の搭乗者の利便性が悪くなるという問題があった。
また、自動車で外出した際に買物をした時に受け取るレシートなどの情報を整理し、処理することは作業が煩雑で面倒になることが多いという問題があった。
さらに、ナビゲーション装置において気に入った店の住所をレシートや観光ガイドブック等から使用者が読み取り、使用者の操作によって住所設定等を行なう必要があり、操作が煩雑で面倒になることが多いという問題があった。
【０００５】
この発明は、かかる問題を解決するためになされたもので、移動体の運転席と助手席との間に挟まれる位置に設けられ、所望の機器を配設可能な配設手段、この配設手段を移動体の前後方向に沿って移動可能に案内する案内手段と、指令に基づき、案内手段に沿って配設手段を移動させる移動手段、移動体内に設けられた複数の座席位置それぞれと移動手段により配設手段を所定位置に位置決めさせる移動設定値とを対応させて記憶した記憶手段と、配設手段の移動を行うよう指令信号を出力する操作手段と、この操作手段からの指令に基づき、記憶手段から所定の移動設定値を選択する設定値選択手段と、この設定値選択手段が選択した移動設定値に基づき、移動手段が配設手段を案内手段に沿って移動させ所定位置に位置決めするよう移動制御する移動制御手段とを備えたので、操作のみで配設手段の煩わしい設定操作をする必要がなく、使用者の利便性が向上する移動体用機器配設装置を得ることを目的としている。
また、この発明は、配設手段の内部に収納可能であり、且つ配設手段から突出可能な表示手段を設け、記憶手段は移動設定値とともに表示手段を突出させるか否かを各座席それぞれに対応するよう設定した表示手段突出設定値とを記憶し、設定値選択手段は記憶手段から所定の移動設定値及び表示手段突出設定値を選択し、移動制御手段は設定値選択手段が選択した移動設定値及び表示手段突出設定値に基づき、移動手段により配設手段を案内手段に沿って移動させ所定位置に位置決めするとともに、表示手段を所定位置まで突出または収納させるよう制御するようにしたので、操作のみで配設手段とともに表示手段の設定を座席対応で適正に位置決めされるので、煩わしい設定操作が不要となり、使用者の利便性がさらに向上する移動体用機器配設装置を得ることを目的としている。
また、この発明は、表示手段を配設手段から突出した際、表示手段を支持する支持手段に対して角度の調節が行える角度調節手段を設けたので、使用者の体型に合った調節が自在に行なえ、装置の利便性が向上する移動体用機器配設装置を得ることを目的としている。
また、この発明は、配設手段に、この配設手段の筐体表面から突出可能で所定機器の操作を行う操作手段を設け、記憶手段は移動設定値とともに操作手段を突出させるか否かを各座席それぞれに対応するよう設定した操作手段突出設定値とを記憶し、設定値選択手段は記憶手段から所定の移動設定値及び操作手段突出設定値を選択し、移動制御手段は設定値選択手段が選択した移動設定値及び操作手段突出設定値に基づき、移動手段により配設手段を案内手段に沿って移動させ所定位置に位置決めするとともに、操作手段を所定位置まで突出または収納させるよう制御するようにしたので、使用者の利便性がさらに向上する移動体用機器配設装置を得ることを目的としている。
また、この発明は、移動体内前方に設置した機器下方に配設手段の少なくとも一部を収納する収納スペースが形成されるとともに、案内手段は配設手段を収納スペースまで案内可能にしたので、限られた移動体内のスペースを有効的に使用できる移動体用機器配設装置を得ることを目的としている。
また、この発明は、移動体内に設置した座席ごとに第２操作手段を設け、移動手段が配設手段を案内手段に沿って移動し位置決めさせる際、操作手段か第２操作手段のいずれかにより指令が出力されるようにしたので、操作手段が操作しにくい場合でも、操作が簡単に行なえ、装置の操作性がさらに向上する移動体用機器配設装置を得ることを目的としている。
また、この発明は、配設手段は内部に表示手段を収納する収納部が設けられるとともに表示手段が配設手段から突出可能に配設され、記憶手段は移動設定値とともに表示手段を突出させるか否かを各座席それぞれに対応するよう設定した表示手段突出設定値とを記憶し、設定値選択手段は記憶手段から所定の移動設定値及び表示手段突出設定値を選択し、移動制御手段は設定値選択手段が選択した移動設定値及び表示手段突出設定値に基づき、移動手段により配設手段を案内手段に沿って移動させ所定位置に位置決めするとともに、表示手段を所定位置まで突出または収納させるよう制御するよう構成し、配設手段が収納スペースまで案内された際は、表示手段を配設手段の内部に収納し、移動体内前方に設置した表示部のみで表示を行うようにしたので、位置決め等の煩わしい設定操作を不要にし、配設手段の表示手段を使用しない際は表示手段を収納可能にし、限られたスペースを有効的に利用できるので、装置の操作性がより向上するとともに、使用者の利便性もより向上する移動体用機器配設装置を得ることを目的としている。
また、この発明は、移動体の運転席と助手席との間に挟まれる位置に設けられ、所望の機器を配設可能であって、内部に収納可能で外部に突出可能な表示手段と筐体表面から突出可能で所定機器の操作を行う操作手段とを設けた配設手段と、この配設手段を移動体の前後方向に沿って移動可能に案内する案内手段と、指令に基づき、案内手段に沿って配設手段を移動させる移動手段、移動体内に設けられた複数の座席位置それぞれと、移動手段により配設手段を所定位置に位置決めさせる配設手段の移動設定値と表示手段を突出させるか否かを設定する表示手段突出設定値と操作手段を突出させるか否かを設定する操作手段突出設定値とを対応して記憶した記憶手段と、指令に基づき、この記憶手段から所定の移動設定値、表示手段突出設定値及び操作手段突出設定値を選択する設定値選択手段と、この設定値選択手段が選択した移動設定値、表示手段突出設定値及び操作手段突出設定値に基づき、移動手段が配設手段を案内手段に沿って移動させ所定位置に位置決めするとともに、表示手段及び操作手段を所定位置まで突出または収納させるよう制御する移動制御手段とを備えたので、煩わしい配設手段の操作や表示を行ないたい際の位置決めの設定操作を不要とするので、装置の操作性、利便性がさらに向上し、使用者の利便性もさらに向上する移動体用機器配設装置を得ることを目的としている。
また、この発明は、移動体の運転席と助手席との間に挟まれる位置に設けられ、所望の機器を配設可能であって、内部に収納可能で外部に突出可能な表示手段と筐体表面から突出可能で所定機器の操作を行う操作手段とを設けた配設手段と、移動体内前方に配設手段の少なくとも一部が収納される収納スペースと、配設手段を移動体の前後方向に沿って移動可能に案内するとともに配設手段を収納スペースまで案内可能にした案内手段、指令に基づき、案内手段に沿って配設手段を移動させる移動手段、移動体内に設けられた複数の座席位置それぞれと、移動手段により配設手段を所定位置に位置決めさせる配設手段の移動設定値と表示手段を突出させるか否かを設定する表示手段突出設定値と操作手段を突出させるか否かを設定する操作手段突出設定値とを対応して記憶した記憶手段と、指令に基づき、この記憶手段から所定の移動設定値、表示手段突出設定値及び操作手段突出設定値を選択する設定値選択手段と、この設定値選択手段が選択した移動設定値、表示手段突出設定値及び操作手段突出設定値に基づき、移動手段が配設手段を案内手段に沿って移動させ所定位置に位置決めするとともに、表示手段及び操作手段を所定位置まで突出または収納させるよう制御する移動制御手段とを備え、配設手段が移動手段により収納スペースまで案内された際は、表示手段を配設手段の内部に収納し、移動体内前方に設置された表示部のみで表示を行うようにしたので、煩わしい配設手段の操作や表示を行ないたい際の位置決めの設定操作を不要とするので、装置の操作性、利便性がさらに向上し、使用者の利便性もさらに向上する移動体用機器配設装置を得ることを目的としている。
また、この発明は、配設手段に配設された機器の出力信号を無線信号に変換し、この変換された無線出力信号に基いて、可視情報が含まれている場合は、移動体前方に設置された表示部に所定の情報を表示するように構成したので、可視情報の共有が行なえ、装置の使用範囲が広がり、装置の利便性がさらに向上する移動体用機器配設装置を得ることを目的としている。
また、この発明は、配設手段を移動させる際、表示手段に複数の座席位置を示す情報を一覧表示させ、この一覧表示から所望の座席位置を選択操作し、この選択された座席位置に対応する移動設定値及び表示手段突出設定値及び操作手段突出設定値を記憶手段から選択し、移動手段が配設手段を案内手段の所定箇所まで移動させて位置決めするようにしたので、表示内容に基づいて設定操作が行なえるので、無理な姿勢での操作を行なわずにすみ、装置の操作性がさらに向上する移動体用機器配設装置を得ることを目的としている。
また、この発明は、移動体内に設置された各座席の着座者の有無を判断する着座者有無判断手段と、この着座者有無判断手段の判断により着座者がいると判断した座席位置の情報を表示手段に一覧表示させるようにしたので、着座者がある座席のみから選択でき、選択操作する際の時間を短縮できる移動体用機器配設装置を得ることを目的としている。
また、この発明は、移動体内に設置された座席の内、着座者がいる座席を対象とした着座者保護の動作制御を行う着座者保護動作制御手段を設け、この着座者保護動作制御手段が保護動作の対象とする座席のみの情報を表示手段に一覧表示させるようにしたので、既存の構成部品を共有化でき、装置の部品点数を削減できるとともにコスト削減が図れる移動体用機器配設装置を得ることを目的としている。
【課題を解決するための手段】
【０００６】
この発明に係る移動体用機器配設装置は、移動体の運転席と助手席との間に挟まれる位置に設けられ、所望の機器を配設可能な配設手段、この配設手段を移動体の前後方向に沿って移動可能に案内する案内手段と、指令に基づき、案内手段に沿って配設手段を移動させる移動手段、移動体内に設けられた複数の座席位置それぞれと移動手段により配設手段を所定位置に位置決めさせる移動設定値とを対応させて記憶した記憶手段と、配設手段の移動を行うよう指令信号を出力する操作手段と、この操作手段からの指令に基づき、記憶手段から所定の移動設定値を選択する設定値選択手段と、この設定値選択手段が選択した移動設定値に基づき、移動手段が配設手段を案内手段に沿って移動させ所定位置に位置決めするよう移動制御する移動制御手段とを備え、移動体内前方に設置した機器下方に配設手段の少なくとも一部を収納する収納スペースが形成されるとともに、案内手段は配設手段を収納スペースまで案内可能にし、配設手段は内部に表示手段を収納する収納部が設けられるとともに表示手段が配設手段から突出可能に配設され、記憶手段は移動設定値とともに表示手段を突出させるか否かを各座席それぞれに対応するよう設定した表示手段突出設定値とを記憶し、設定値選択手段は記憶手段から所定の移動設定値及び表示手段突出設定値を選択し、移動制御手段は設定値選択手段が選択した移動設定値及び表示手段突出設定値に基づき、移動手段により配設手段を案内手段に沿って移動させ所定位置に位置決めするとともに、表示手段を所定位置まで突出または収納させるよう制御するよう構成し、配設手段が収納スペースまで案内された際は、表示手段を配設手段の内部に収納し、移動体内前方に設置した表示部のみで表示を行うように構成したものである。
また、この発明に係る移動体用機器配設装置は、移動体の運転席と助手席との間に挟まれる位置に設けられ、所望の機器を配設可能であって、内部に収納可能で外部に突出可能な表示手段と筐体表面から突出可能で所定機器の操作を行う操作手段とを設けた配設手段と、移動体内前方に配設手段の少なくとも一部が収納される収納スペースと、配設手段を移動体の前後方向に沿って移動可能に案内するとともに配設手段を収納スペースまで案内可能にした案内手段、指令に基づき、案内手段に沿って配設手段を移動させる移動手段、移動体内に設けられた複数の座席位置それぞれと、移動手段により配設手段を所定位置に位置決めさせる配設手段の移動設定値と表示手段を突出させるか否かを設定する表示手段突出設定値と操作手段を突出させるか否かを設定する操作手段突出設定値とを対応して記憶した記憶手段と、指令に基づき、この記憶手段から所定の移動設定値、表示手段突出設定値及び操作手段突出設定値を選択する設定値選択手段と、この設定値選択手段が選択した移動設定値、表示手段突出設定値及び操作手段突出設定値に基づき、移動手段が配設手段を案内手段に沿って移動させ所定位置に位置決めするとともに、表示手段及び操作手段を所定位置まで突出または収納させるよう制御する移動制御手段とを備え、配設手段が移動手段により収納スペースまで案内された際は、表示手段を配設手段の内部に収納し、移動体内前方に設置された表示部のみで表示を行うようにしたものである。
また、この発明に係る移動体用機器配設装置は、配設手段に配設された機器の出力信号を無線信号に変換し、この変換された無線出力信号に基づいて、可視情報が含まれている場合は、移動体前方に設置された表示部に所定の情報を表示するように構成したものである。
また、この発明に係る移動体用機器配設装置は、配設手段を移動させる際、表示手段に複数の座席位置を示す情報を一覧表示させ、この一覧表示から所望の座席位置を選択操作し、この選択された座席位置に対応する移動設定値及び表示手段突出設定値及び操作手段突出設定値を記憶手段から選択し、移動手段が配設手段を案内手段の所定箇所まで移動させて位置決めするように構成したものである。
また、この発明に係る移動体用機器配設装置は、移動体内に設置された各座席の着座者の有無を判断する着座者有無判断手段と、この着座者有無判断手段の判断により着座者がいると判断した座席位置の情報を表示手段に一覧表示させるように構成したものである。
また、この発明に係る移動体用機器配設装置は、移動体内に設置された座席の内、着座者がいる座席を対象とした着座者保護の動作制御を行う着座者保護動作制御手段を設け、この着座者保護動作制御手段が保護動作の対象とする座席のみの情報を表示手段に一覧表示させるように構成したものである。
【発明の効果】
【０００７】
この発明に係る移動体用機器配設装置によれば、移動体の運転席と助手席との間に挟まれる位置に設けられ、所望の機器を配設可能な配設手段、この配設手段を移動体の前後方向に沿って移動可能に案内する案内手段と、指令に基づき、案内手段に沿って配設手段を移動させる移動手段、移動体内に設けられた複数の座席位置それぞれと移動手段により配設手段を所定位置に位置決めさせる移動設定値とを対応させて記憶した記憶手段と、配設手段の移動を行うよう指令信号を出力する操作手段と、この操作手段からの指令に基づき、記憶手段から所定の移動設定値を選択する設定値選択手段と、この設定値選択手段が選択した移動設定値に基づき、移動手段が配設手段を案内手段に沿って移動させ所定位置に位置決めするよう移動制御する移動制御手段とを備え、移動体内前方に設置した機器下方に配設手段の少なくとも一部を収納する収納スペースが形成されるとともに、案内手段は配設手段を収納スペースまで案内可能にし、配設手段は内部に表示手段を収納する収納部が設けられるとともに表示手段が配設手段から突出可能に配設され、記憶手段は移動設定値とともに表示手段を突出させるか否かを各座席それぞれに対応するよう設定した表示手段突出設定値とを記憶し、設定値選択手段は記憶手段から所定の移動設定値及び表示手段突出設定値を選択し、移動制御手段は設定値選択手段が選択した移動設定値及び表示手段突出設定値に基づき、移動手段により配設手段を案内手段に沿って移動させ所定位置に位置決めするとともに、表示手段を所定位置まで突出または収納させるよう制御するよう構成し、配設手段が収納スペースまで案内された際は、表示手段を配設手段の内部に収納し、移動体内前方に設置した表示部のみで表示を行うように構成した
ので、操作のみで配設手段の煩わしい設定操作をする必要がなく、装置の利便性が向上する。また、限られた移動体内のスペースを有効的に使用できる。また、位置決め等の煩わしい設定操作を不要にし、配設手段の表示手段を使用しない際は表示手段を収納可能にし、限られたスペースを有効的に利用できるので、装置の操作性がより向上するとともに、使用者の利便性もより向上する。
また、この発明に係る移動体用機器配設装置は、移動体の運転席と助手席との間に挟まれる位置に設けられ、所望の機器を配設可能であって、内部に収納可能で外部に突出可能な表示手段と筐体表面から突出可能で所定機器の操作を行う操作手段とを設けた配設手段と、移動体内前方に配設手段の少なくとも一部が収納される収納スペースと、配設手段を移動体の前後方向に沿って移動可能に案内するとともに配設手段を収納スペースまで案内可能にした案内手段、指令に基づき、案内手段に沿って配設手段を移動させる移動手段、移動体内に設けられた複数の座席位置それぞれと、移動手段により配設手段を所定位置に位置決めさせる配設手段の移動設定値と表示手段を突出させるか否かを設定する表示手段突出設定値と操作手段を突出させるか否かを設定する操作手段突出設定値とを対応して記憶した記憶手段と、指令に基づき、この記憶手段から所定の移動設定値、表示手段突出設定値及び操作手段突出設定値を選択する設定値選択手段と、この設定値選択手段が選択した移動設定値、表示手段突出設定値及び操作手段突出設定値に基づき、移動手段が配設手段を案内手段に沿って移動させ所定位置に位置決めするとともに、表示手段及び操作手段を所定位置まで突出または収納させるよう制御する移動制御手段とを備え、配設手段が移動手段により収納スペースまで案内された際は、表示手段を配設手段の内部に収納し、移動体内前方に設置された表示部のみで表示を行うようにしたので、煩わしい配設手段の操作や表示を行ないたい際の位置決めの設定操作を不要とするので、装置の操作性、利便性がさらに向上し、使用者の利便性もさらに向上する。
また、この発明に係る移動体用機器配設装置は、配設手段に配設された機器の出力信号を無線信号に変換し、この変換された無線出力信号に基づいて、可視情報が含まれている場合は、移動体前方に設置された表示部に所定の情報を表示するように構成したので、可視情報の共有が行なえ、装置の使用範囲が広がり、装置の利便性がさらに向上する。
また、この発明に係る移動体用機器配設装置は、配設手段を移動させる際、表示手段に複数の座席位置を示す情報を一覧表示させ、この一覧表示から所望の座席位置を選択操作し、この選択された座席位置に対応する移動設定値及び表示手段突出設定値及び操作手段突出設定値を記憶手段から選択し、移動手段が配設手段を案内手段の所定箇所まで移動させて位置決めするようにしたので、表示内容に基づいて設定操作が行なえるので、無理な姿勢での操作を行なわずにすみ、装置の操作性がさらに向上する。
また、この発明に係る移動体用機器配設装置は、移動体内に設置された各座席の着座者の有無を判断する着座者有無判断手段と、この着座者有無判断手段の判断により着座者がいると判断した座席位置の情報を表示手段に一覧表示させるようにしたので、着座者がある座席のみから選択でき、選択操作する際の時間を短縮できる。
また、この発明に係る移動体用機器配設装置は、移動体内に設置された座席の内、着座者がいる座席を対象とした着座者保護の動作制御を行う着座者保護動作制御手段を設け、この着座者保護動作制御手段が保護動作の対象とする座席のみの情報を表示手段に一覧表示させるようにしたので、既存の構成部品を共有化でき、装置の部品点数を削減できるとともにコスト削減が図れる。
【図面の簡単な説明】
【０００８】
【図１】実施の形態１に係る移動体用機器配設装置及び移動体用情報処理装置の概略構成を示す概略構成図である。
【図２】図１の要部構成を示す要部構成図である。
【図３】図２の要部を示す要部説明図である。
【図４】図１の要部構成を示す要部構成図である。
【図５】図４の要部の後面を示す要部後面図である。
【図６】図４の要部の側面断面を示す要部側面断面図である。
【図７】、図１の要部構成を示す要部構成図である。
【図８】図７の要部の後面を示す要部後面図である。
【図９】図７の要部の側面断面を示す要部側面断面図である。
【図１０】図７の要部の後面断面を示す要部後面断面図である。
【図１１】実施の形態１に係る移動体用機器配設装置の要部構成を示すブロック図である。
【図１２】図１１の要部を示す要部説明図である。
【図１３】実施の形態１に係る移動体用機器配設装置及び移動体用情報処理装置の動作の流れを示すフローチャートである。
【図１４】図１の状態から要部を移動した状態を示す要部状態遷移図である。
【図１５】図１４の要部の状態を示す要部状態図である。
【図１６】図１の状態から要部を移動した状態を示す要部状態遷移図である。
【図１７】図１６の要部の状態を示す要部状態図である。
【図１８】図１の状態から要部を移動した状態を示す要部状態遷移図である。
【図１９】実施の形態１に係る移動体用情報処理装置の要部構成を示すブロック図である。
【図２０】図１９に使用される可視情報の例を示す説明図である。
【図２１】実施の形態１に係る移動体用情報処理装置の動作の流れを示すフローチャートである。
【図２２】実施の形態２に係る移動体用機器配設装置及び移動体用表示装置の要部構成を示す要部構成図である。
【図２３】図２２の要部を示す説明図である。
【図２４】図２２の要部を示す説明図である。
【図２５】図２２の要部を示す説明図である。
【図２６】実施の形態２に係る移動体用表示装置の要部構成を示すブロック図である。
【図２７】実施の形態２に係る移動体用表示装置の動作の流れを示すフローチャートである。
【図２８】図２２の状態から要部を移動した状態を示す要部状態遷移図である。
【図２９】図２２の状態から要部を移動した状態を示す要部状態遷移図である。
【図３０】実施の形態６に係る移動体用機器配設装置及び移動体用表示装置の概略構成を示す概略構成図である。
【図３１】実施の形態６に係る移動体用表示装置の要部構成を示すブロック図である。
【図３２】実施の形態６に係る移動体用表示装置の動作の流れを示すフローチャートである。
【図３３】図３０の要部を示す要部説明図である。
【図３４】図３３の状態から要部を移動した状態を示す要部状態遷移図である。
【図３５】実施の形態６に係る移動体用表示装置が出力した可視情報を表示した例を示す説明図である。
【図３６】実施の形態６に係る移動体用表示装置が出力した可視情報を表示した例を示す説明図である。
【図３７】実施の形態７に係る移動体用表示装置の概略構成を示す概略構成図である。
【図３８】実施の形態７に係る移動体用表示装置及び移動体用機器配設装置の要部を示す説明図である。
【図３９】図３８の表示例を拡大した説明図である。
【図４０】実施の形態８に係る移動体用機器配設装置の概略構成を示すブロック図である。
【図４１】図４０の表示例を示した説明図である。
【図４２】実施の形態８に係る移動体用機器配設装置の動作の流れを示すフローチャートである。
【図４３】実施の形態９に係る移動体用情報処理装置の概略構成を示すブロック図である。
【図４４】図４３の表示例を示した説明図である。
【図４５】実施の形態９に係る移動体用情報処理装置の動作の流れを示すフローチャートである。
【図４６】従来の移動体内部の要部を示す要部詳細図である。
【図４７】従来の移動体内部の要部を示す要部詳細図である。
【図４８】従来の移動体内に設けられた要部の構成を示す構成図である。
【図４９】従来の移動体内に設けられた要部を示す要部説明図である。
【図５０】従来の要部の断面を示す要部断面図である。
【図５１】従来の移動体内に設けられた要部の分解構成を示す分解構成図である。
【図５２】従来の要部の断面を示す要部断面図である。
【図５３】従来の要部の表示例を示す説明図である。
【図５４】従来の移動体内に設けられた要部を示す要部説明図である。
【図５５】従来の移動体内に設けられた要部を示す要部説明図である。
【発明を実施するための形態】
【０００９】
以下、この発明をより詳細に説述するために、この発明を実施するための最良の形態について、添付の図面に従ってこれを説明する。
【００１０】
実施の形態１．
図１は実施の形態１に係る移動体用機器配設装置の概略構成を示す概略構成図、図２は図１の要部構成を示す要部構成図、図３は図２の要部を示す要部説明図である。
【００１１】
これら図１〜図３において、１００は移動体としての自動車であり、この実施の形態１では、６人乗車可能なミニバンタイプの自動車として説明している。１０１は自動車１００のフロントガラス、１０２は自動車１００の車室前方に設けられた樹脂等で形成されたインストゥルメントパネル、１０３はインストゥルメントパネル１０２の運転席側（後述する）に設けられたスピードメータやタコメータ等のメータ類が配置されるコンビネーションメータパネル、１０４はハンドルである。
【００１２】
また、１０５はインストゥルメントパネル１０２の上面部であるダッシュボード、１０６はインストゥルメントパネル１０２の略中央部に設けられた表示装置、１０７は横一列でそれぞれが等間隔で設けられた操作部であり、この操作部１０７には、本実施の形態１では、緊急時に押圧操作することにより外部の連絡センターに自動接続され緊急状況下であることを通報するエマージェンシーコールシステムを作動させる操作部や、非常停止を車外に伝達するハザードランプの点灯／消灯の操作を行なう操作部や、外部の電子手帳（ＰＤＡ）のデータを取り込ませる操作部等が設けられている。
【００１３】
また、１０８は撮像手段としてのカメラ、１０９は後述するセンターコンソールユニット２００が最前部まで移動された際、内部に収納される収納スペース、１１０はセンターコンソールユニット２００を自動車１００の前後方向、即ち、図１のＡ方向またはＢ方向に移動可能に案内する案内手段としてのレール部である。
このレール部１１０は、図３に示すように、内部に溝部が形成され、自動車室内の床部に配設されており、溝部の底部には、レール部１１０の長手方向と垂直方向に等間隔のスリット状に形成されており、これが噛合部１１１となっている。
【００１４】
また、１２０は前席であり、この前席１２０は運転席１２１と助手席１２２とで構成されている。１３０は中間席であり、この中間席１３０も前席１２０と同様に運転席側１２１、即ち、図１上では右側の席１３１と、助手席側１２２、即ち、図１上では左側の席１３２とで構成されており、さらに、図示していないが、中間席１３０の後ろ側には、後席が設けられており、前席１２０や中間席１３０と同様に２席から構成されている。
【００１５】
また、インストゥルメントパネル１０２内部には、図示していないが、自動車に搭載されている全ての機器の制御を統括している中央制御手段と、ディスプレイ等の表示手段を制御する表示制御手段と、音声出力を行なうスピーカの音量を制御する音量制御手段と、自動車１００に搭載されたエンジンの動作を制御するエンジン制御手段と、自動車１００に搭載されたエアコンディショナー（エアコン）の動作制御を行なうエアコン制御手段等が設けられており、これら表示制御手段、音量制御手段、エンジン制御手段、エアコン制御手段は、中央制御手段の動作指令に基づいて制御されるように構成され、中央制御手段はセンターコンソールユニット２００に配設された音響機器や映像機器等に対しても所定の動作制御が行われるようになっているため、自動車内の搭乗者が操作手段２３０を操作することにより、センターコンソールユニット２００内に設けられたＣＤプレーヤやカセットテーププレーヤ、ＤＶＤプレーヤ等を動作させて、可聴情報は、中央制御手段の指令に基づき、スピーカへの音量の制御が行なわれてスピーカから音声が出力されるようになっている。
【００１６】
なお、操作手段１０７を操作した際も上記と同様に可聴情報は、中央制御手段の指令に基づき、スピーカへの音量の制御が行なわれてスピーカから音声が出力されるようになっている。
また、操作手段２３０の操作に基づき、可視情報も、中央制御手段の指令に基づき、表示手段２２０への表示制御を行い、表示手段２２０に可視情報が表示されるようになっている。なお、操作手段１０７を操作した際も可聴情報と同様に中央制御手段の指令に基づき、スピーカへの音量の制御が行なわれてスピーカから音声が出力されるようになっている。
【００１７】
次に、図２、図３を用いてセンターコンソールユニット２００について説明する。
図２はセンターコンソールユニット２００の全体構成を示す全体構成図、図３は図２に示すセンターコンソールユニット２００とレール部１１０との関係を示す関係図である。
【００１８】
２００はセンターコンソールユニットであり、センターコンソールユニットの筐体部２１０と、この筐体部２１０の一部に開口部２１２が形成され、この開口部２１２内に収納可能に設けられ、使用時には筐体部２１０の上面２１１の上方に突出する第２表示手段としてのディスプレイ２２０と、筐体部２１０の一部に開口部２１３が形成され、この開口部２１３内に収納可能に設けられ、使用時には筐体部２１０の上面２１１の上方に突出する操作部２３０と、コンソールユニット２００をＡ方向に移動させる際に操作する操作部２４１と、コンソールユニット２００をＢ方向に移動させる際に操作する操作部２４２と、音響装置や映像装置にＣＤやＭＤやＤＶＤ等の記憶媒体を挿入する挿入口２４３と、筐体部２１０の前面部に取り付けられた撮像手段としてのカメラ２５０とで構成されている。また、筐体部２１０の上面２１１には複数の開口部２１４が形成されており、これら複数の開口部にはＩＣカードのようなメモリカードがそれぞれ挿入できる挿入口となっており、本実施の形態では５枚のメモリカードが挿入可能となっている。
【００１９】
ここで、図４〜図１０を用いて表示部２２０と操作部２３０について説明する。
図４はセンターコンソールユニット２００の要部である表示部２２０の後面斜視図、図５は表示部２２０の背面を示す背面図、図６は表示部２２０の側断面を示す側断面図である。
また、図７はセンターコンソールユニット２００の要部である操作部２３０の外観を示す要部外観図、図８は図７に示す操作部２３０の裏面の概略構成を示す裏面概略構成図、図９は操作部２３０の側面断面を示す側面断面図、図１０は操作部２３０の正面断面を示す正面断面図である。
【００２０】
表示部２２０の支持部２２２の下方には表示部２２０の駆動機構が設けられており、この駆動機構は、一面に噛合部２２３ａを形成した櫛状部２２３と、この櫛状部２２３に形成された噛合部２２３ａと噛合するように、筐体部２１０内に設けられ、一部に噛合部２２４ａが形成された駆動部２２４とで構成されている。
【００２１】
この駆動部２２４の噛合部２２４ａと櫛状部２２３の噛合部２２３ａとが噛合し、駆動部２２４のＥ方向またはＦ方向への回動駆動により櫛状部２２３もＨ方向またはＧ方向への上下移動が行われる。また、筐体部２１０の内部は断層状の中空形状になっており、一端が筐体部２１０の上面２１１に固定され、他端が筐体部２１０の１層目の上面２１６に固定され表示部２２０を支持する棒状支持部２２５、２２６を設けている。なお、これら棒状支持部２２５、２２６は表示部２２０の支持部２２２に形成された孔２２２ａ、２２２ｂのそれぞれに嵌入されており、表示部２２０がぐらつくことを防止するものとなっている。
【００２２】
図７に示すように、表示部２２０の表示面側は櫛状部２２３より左側、即ち、自動車内の後方側に配置されている。
【００２３】
操作部２３０の操作面２３１には、自動車に設けられているエアコン（図示せず）の動作制御の操作を行なうエアコン操作部２３２と、所定の操作を行なう際に表示部２２０の表示面２２１に表示されたメニュー画面から所望の内容を選択して実行させる操作を行なう突起部が中央に形成されたジョイスティック２３３と、センターコンソールユニット２００内に収納された音響機器や映像再生装置（図示せず）の動作制御の操作を行なうＡＶ機器操作部２３４と、０〜９までの１０キーと送信キーと終了キーを設け、自動車内に設置されたハンズフリー電話（図示せず）やナビゲーション装置の番号入力、また計算を行なったりする際に操作する操作部２３５である。なお、操作面２３１には、傾斜が付けられている。
【００２４】
また、図８に示すように操作部２３０の裏面２３６には、操作部２３０の駆動機構が構成されており、この駆動機構は、弧状に形成され一面に噛合部２３７ａが形成された櫛状部２３７と、筐体部２１０内に設けられ、一部に噛合部２３８ａが形成された駆動部２３８とで構成されている。また、一部には内部に回動軸（図示せず）が嵌入され、操作部２３０が筐体部２１０から突出したり筐体部２１０内に収納したりする際の支点となる軸受部２３９ａ、２３９ｂが形成されており、この軸受部２３９ａ、２３９ｂの対面には、操作部２３０が筐体部２１０から外れないよう筐体部２１０の内部に形成された係止部２１１ａに係止する係止部２３９ｃ、２３９ｄが形成されている。
【００２５】
このように構成しているため、操作部２３０は駆動部２３８の噛合部２３８ａと櫛状部２３７の噛合部２３７ａとが噛合し、駆動部２３８のＩ方向またはＪ方向への回動駆動により櫛状部２２３もＪ方向またはＩ方向への弧を描くような移動が行われる。
【００２６】
また、ディスプレイ２２０は筐体部２１０がレール部１１０のどこの位置に位置しているかにより、Ｈ方向に移動して筐体部２１０の上面２１１からディスプレイ２２０の表示面２２１が突出されたり、Ｇ方向に移動して筐体部２１０の中に収納されるように構成されており、また、操作部２３０も筐体部２１０がレール部１１０のどこの位置に位置しているかにより、Ｉ方向に移動して筐体部２１０の上面２１１から操作部２３０の操作面２３１が突出されたり、Ｊ方向に移動して筐体部２１０の中に収納されるよう構成されている。
【００２７】
ここで、レール部１１０とセンターコンソールユニット２００との関係について説明すると、筐体部２１０の下面２１５にはレール部１１０内部の溝部に形成された係止部１１１と噛合するよう周面部に噛合部２０２が形成された回動動作可能な車輪部２０１が設けられ、車輪部２０１には駆動部（図示せず）が内蔵されており、この駆動部が回動動作することにより車輪部２０１が回動動作する。
【００２８】
ここで、車輪部２０１は周面部に形成された噛合部２０２とレール部１１０に形成された係止部１１１とが噛合しているため、駆動部が回転すると、センターコンソールユニット２００がＡ方向またはＢ方向に移動することとなる。即ち、図２に示すように、操作部からの指令に基づき、車輪部２０１がＧ方向に回転動作すると、センターコンソールユニット２００がＡ方向に移動し、逆に、車輪部２０１がＨ方向に回転動作すると、センターコンソールユニット２００がＢ方向に移動動作する。
【００２９】
一方、駆動部の回動動作がない場合は、車輪部２０１はレール部１１０と噛合しているため、Ａ方向にもＢ方向にも移動しないこととなり、駆動部の停止位置でセンターコンソールユニット２００が位置決めされるようになっている。
【００３０】
また、センターコンソールユニット２００を使用していない際は、図１４に示すように、センターコンソールユニット２００が収納スペース１０９内に収容されている（センターコンソールユニット２００の初期位置）。
【００３１】
次に、センターコンソールユニット２００の動作について、詳細に説明する。
図１１は実施の形態１に係る移動体用機器配設装置の動作制御を行う主要部分の構成を示すブロック図、図１２は図１１の要部の説明を行なう要部説明図、図１３は実施の形態１に係る移動体用機器配設装置の動作の流れを示すフローチャートであり、まず、センターコンソールユニット２００の動作制御を行う要部構成について説明する。
【００３２】
２４１、２４２は操作部であり、図１に示すＡ方向にセンターコンソールユニット２００を移動させる際は、操作部２４１を押圧操作し、Ｂ方向に移動させる際は操作部２４２に対して押圧操作を行うことによって、所定の指令信号が出力される。ここで、本発明の実施の形態１では操作部２４１、２４２を所定時間以内（例えば、２秒以内）に連続的に押圧操作した際は、その押圧操作の回数をカウントして後述する設定値選択手段１１０１が、センターコンソールユニット２００の設定位置が決定するようになっている。
【００３３】
この設定値選択手段１１０１は、操作部２４１、２４２が出力した指令信号に基づき、記憶手段１１０２（後述する）に記憶された移動設定値から所定の設定値を選択し、この設定値を出力するものである。１１０２は自動車室内に設けられた各座席１２０、１３０の位置それぞれに、車輪部２０１が移動する方向及び距離と、センターコンソールユニット２００に設けられた表示部２２０をセンターコンソールユニット２００の上面から突出させるか否かの設定値と、センターコンソールユニット２００に設けられた操作部２３０をセンターコンソールユニット２００の上面から突出させるか否かの設定値とを対応させて記憶した記憶手段であり、図１２に示すように記憶されている。
【００３４】
この図１２に記憶されている内容を説明すると、センターコンソールユニット２００には固定箇所として５つのポジションがあり、第１ポジションは初期位置であり、センターコンソールユニット２００が収納スペース１０９内に収納されており、レール部１１０の最前部に位置している。このため、センターコンソールユニット２００の移動設定値は第１ポジションを０ｃｍとし、表示部２２０は筐体部２１０内に収納され、操作部２３０も筐体部２１０内に収納されている。この第１ポジションはどの座席位置にも対応していない。
【００３５】
第２ポジションは運転席対応のポジションであり、第１ポジションを基準に図１に示すＡ方向に５ｃｍ移動する移動設定値が設定されており、表示部２２０は筐体部２１０内に収納され、操作部２３０は筐体部２１０の上面から所定の傾斜角度θを有するよう突出されるようになっている。
【００３６】
また、第３ポジションは助手席対応のポジションであり、第１ポジションを基準に図１に示すＡ方向に１５ｃｍ移動する移動設定値が設定されており、表示部２２０は筐体部２１０の上面から突出されるようになっており、操作部２３０も筐体部２１０の上面から所定の傾斜を有するよう突出される。
【００３７】
また、第４ポジションは中間席対応のポジションであり、第１ポジションを基準に図１に示すＡ方向に６０ｃｍ移動する移動設定値が設定されており、表示部２２０と操作部２３０は、筐体部２１０の上面から突出されるようになっている。この際、中間席の左右どちらの席にも、この第４ポジションが対応している。
【００３８】
さらに、図示はしていないが、第５ポジションは後席対応であり、第１ポジションを基準に図１に示すＡ方向に１２０ｃｍ移動する移動設定値が設定されており、第４ポジションと同様に表示部２２０と操作部２３０は、筐体部２１０の上面から突出されるようになっている。この際、後席の左右どちらの席にも、この第４ポジションが対応している。これら第１ポジション〜第５ポジションは、センターコンソールユニット２００に設けられた操作手段２４１、２４２の所定時間内に連続する操作回数により決められるものであり、例えば、センターコンソールユニット２００が第１ポジションに設定されている際、操作手段２４１に対し、連続した押圧操作が３回あった場合、第２ポジション、第３ポジションを経て、第４ポジションに設定される。逆に、センターコンソールユニット２００がこの状態、即ち、第４ポジションの際、操作手段２４２に対し、連続した押圧操作が２回あった場合、第３ポジションを経て第２ポジションに設定されるようになっている。
【００３９】
ここで、１ポジションごとに移動させた場合は、以下のとおりとなる。即ち、センターコンソールユニット２００を使用していない際には、センターコンソールユニット２００は図１４に示すように、インストゥルメントパネルの中央下部に収納されており（第１ポジション）、センターコンソールユニット２００の表示部２２０、操作部２３０の動作状態は図１５に示すとおりである。
【００４０】
この際、操作部２４１への押圧操作が１回、即ちＡ方向への１ポジション分の移動を指令する操作があると、車輪部２０１が回転して第１ポジションから運転席対応である図１６に示す位置まで移動する（第２ポジション）。この際のセンターコンソールユニット２００の表示部２２０、操作部２３０の動作状態は図１７に示すとおりである。
【００４１】
また、上記と同様に操作部２４１への押圧操作が１回あると、上記と同様に第２ポジションから１ポジション分、Ａ方向に移動して助手席対応である図１に示す位置まで移動する（第３ポジション）。この際のセンターコンソールユニット２００の動作状態は図２に示すとおりである。
【００４２】
さらに、上記と同様に１ポジション分の移動を指令する操作があると、第３ポジションから１ポジション分、Ａ方向に移動して中間席対応である図１８に示す位置まで移動する（第４ポジション）。この際のセンターコンソールユニット２００の動作状態も図２に示すとおりである。
【００４３】
また、図１８に示す位置から、さらに１ポジション分の移動を指令する操作があると、図示しないが第４ポジションからＡ方向に移動して後席対応の位置まで移動する（第５ポジション）。この際のセンターコンソールユニット２００の動作状態も図２に示すとおりである。
【００４４】
逆に、Ｂ方向へ移動する際は、上述した順序の逆、即ち、第５ポジションから図１８（第４ポジション）、図１（第３ポジション）、図１６（第２ポジション）を経て図１４（第１ポジション）に示すように移動する。
【００４５】
なお、センターコンソールユニット２００は、移動体の電源をＯＦＦした際、どの位置に設定されていても第１ポジションとしての図１４に示す初期位置に自動的に設定され移動するようになっている。
【００４６】
また、図１１に示す１１０３は、設定値選択手段から出力された図５に示す記憶手段１１０２から選択した移動設定値、表示手段突出設定値としての表示部設定値及び操作手段突出設定値としての操作部設定値に基づき、センターコンソールユニット２００を移動設定値に応じた移動を行い、表示部２２０と操作部２３０を筐体部２１０の上面から突出させるか筐体部２１０内に収納させる移動制御手段であり、１１０４は移動制御手段１１０３が出力した制御信号に基づき、センターコンソールユニット２００を図１に示すＡ方向またはＢ方向に移動させ、表示部２２０と操作部２３０とを筐体部２１０の上面に突出させたり筐体部２１０内に収納させる移動手段であり、この移動手段１１０４は車輪部２０１、この車輪部２０１の外周面に形成された噛合部２０２、車輪部２０１に内蔵され駆動部（図示せず）、レール部１１０、このレール部１１０の溝内に形成された係止部１１１、並びに、表示部２２０の駆動機構及び操作部２３０の駆動機構とで構成されている。
【００４７】
次に、本実施の形態１の移動体用機器配設装置の動作を示すフローチャートを図１３に示し、この図１３を用いて本装置の動作について説明する。
【００４８】
まず、移動体の電源が投入されると操作待受状態となり（ステップ１３００）動作が開始される。このステップ１３００の際、設定値選択手段１１０１が図１に示すＡ方向への操作、即ち、センターコンソールユニット２００の操作部２４１を押圧操作されたか否かを判断し（ステップ１３０１）、このステップ１３０１で操作部２４１の操作があったと判断した場合は、設定値選択手段１１０１が操作部２４１の押圧操作が所定時間内（例えば２秒以内）に何回あったかを判断し（ステップ１３０２）、筐体内に設けられ、現在、センターコンソールユニット２００の設定されているポジションを常時更新記憶しておく記憶部（図示せず）の記憶内容を設定値選択手段１１０１が抽出する（ステップ１３０３）。
【００４９】
次に、ステップ１３０２の内容に基づき、設定値選択手段１１０１が１ポジションの移動か否かを判断し（ステップ１３０４）、このステップ１３０４で１ポジションの移動と判断された場合は、ステップ１３０３の内容に基づき、設定値選択手段１１０１が、現在のポジションに１ポジションを加算したポジションに対応するセンターコンソールユニット２００の移動方向及び移動距離と、表示部２２０を筐体部２１０の上面から突出させるか否かの表示部設定値とを、操作部２３０を筐体部２１０の上面から突出させるか否かの操作部設定値とを選択して移動制御手段１１０３に出力し（ステップ１３０５）、このステップ１３０５の処理後、移動制御手段１１０３が設定値選択手段１１０１からの出力を受けて、所定の移動動作を行うよう移動手段１１０４に対して動作制御信号を出力してセンターコンソールユニット２００を移動させるとともに、表示部２２０と操作部２３０を突出させる設定値であれば突出させ、筐体部２１０内に収納させる設定値であれば筐体部２１０内に収納する（ステップ１３０６）。このステップ１３０６の動作後、ステップ１３０１に戻り、操作部２４１、２４２の操作待受状態となり、ステップ１３０１以降の動作処理は上記説明と同様になる。
【００５０】
また、ステップ１３０４で１ポジションの移動と判断されなかった場合は、設定値選択手段１１０１が２ポジションの移動か否かを判断し（ステップ１３０７）、このステップ１３０７で２ポジションの移動と判断された場合は、ステップ１３０３の内容に基づき、設定値選択手段１１０１が、現在のポジションに２ポジションを加算したポジションに対応するセンターコンソールユニット２００の移動方向及び移動距離と、表示部２２０を筐体部２１０の上面から突出させるか否かの表示部設定値と、操作部２３０を筐体部２１０の上面から突出させるか否かの操作部設定値とを選択して移動制御手段１１０３に出力し（ステップ１３０８）、このステップ１３０８の処理後、移動制御手段１１０３が設定値選択手段１１０１からの出力を受けて、所定の移動動作を行うよう移動手段１１０４に対して動作制御信号を出力してセンターコンソールユニット２００を移動させるとともに、表示部２２０と操作部２３０を突出させる（ステップ１３０９）。このステップ１３０９の動作後、ステップ１３０１に戻り、操作部２４１、２４２の操作待受状態となり、ステップ１３０１以降の動作処理は上記説明と同様になる。
【００５１】
また、ステップ１３０７で２ポジションの移動と判断されなかった場合は、設定値選択手段１１０１が３ポジションの移動か否かを判断し（ステップ１３１０）、このステップ１３１０で３ポジションの移動と判断された場合は、ステップ１３０３の内容に基づき、設定値選択手段１１０１が、現在のポジションに３ポジションを加算したポジションに対応するセンターコンソールユニット２００の移動方向及び移動距離と、表示部２２０を筐体部２１０の上面から突出させるか否かの表示部設定値と、操作部２３０を筐体部２１０の上面から突出させるか否かの操作部設定値とを選択して移動制御手段１１０３に出力し（ステップ１３１１）、このステップ１３１１の処理後、移動制御手段１１０３が設定値選択手段１１０１からの出力を受けて、所定の移動動作を行うよう移動手段１１０４に対して動作制御信号を出力してセンターコンソールユニット２００を移動させるとともに、表示部２２０と操作部２３０を突出させる（ステップ１３１２）。このステップ１３１２の動作後、ステップ１３０１に戻り、操作部２４１、２４２の操作待受状態となり、ステップ１３０１以降の動作処理は上記説明と同様になる。
【００５２】
また、ステップ１３０３で３ポジションの移動と判断されなかった場合は、設定値選択手段１１０１が４ポジションの移動と判断し、ステップ１３０３の内容に基づき、設定値選択手段１１０１が、現在のポジションに４ポジションを加算したポジションに対応するセンターコンソールユニット２００の移動方向及び移動距離と、表示部２２０を筐体部２１０の上面から突出させるか否かの表示部設定値と、操作部２３０を筐体部２１０の上面から突出させるか否かの操作部設定値とを選択して移動制御手段１１０３に出力し（ステップ１３１３）、このステップ１３１３の処理後、移動制御手段１１０３が設定値選択手段１１０１からの出力を受けて、所定の移動動作を行うよう移動手段１１０４に対して動作制御信号を出力してセンターコンソールユニット２００を移動させるとともに、表示部２２０と操作部２３０を突出させる（ステップ１３１４）。このステップ１３１４の動作後、ステップ１３０１に戻り、操作部２４１、２４２の操作待受状態となり、ステップ１３０１以降の動作処理は上記説明と同様になる。
【００５３】
一方、ステップ１３０１で設定値選択手段１１０１が図１に示すＢ方向への操作、即ち、センターコンソールユニット２００の操作部２４２を押圧操作されたか否かを判断し（ステップ１３１５）、このステップ１３１５で操作部２４２の操作があったと判断した場合は、設定値選択手段１１０１が操作部２４２の押圧操作が所定時間内（例えば２秒以内）に何回あったかを判断し（ステップ１３１６）、筐体内に設けられ、現在、センターコンソールユニット２００の設定されているポジションを常時更新記憶しておく記憶部（設定値選択手段１１０１の内部に設けられており、この記憶部と比較参照して移動設定値等を決定する）の記憶内容を設定値選択手段１１０１が抽出する（ステップ１３１７）。
【００５４】
次に、ステップ１３１７の内容に基づき、設定値選択手段１１０１が１ポジションの移動か否かを判断し（ステップ１３１８）、このステップ１３１８で１ポジションの移動と判断された場合は、ステップ１３１７の内容に基づき、設定値選択手段１１０１が、現在のポジションに１ポジションを引算したポジションに対応するセンターコンソールユニット２００の移動方向及び移動距離と、表示部２２０を筐体部２１０の上面から突出させるか否かの表示部設定値と、操作部２３０を筐体部２１０の上面から突出させるか否かの操作部設定値とを選択して移動制御手段１１０３に出力し（ステップ１３１９）、このステップ１３１９の処理後、移動制御手段１１０３が設定値選択手段１１０１からの出力を受けて、所定の移動動作を行うよう移動手段１１０４に対して動作制御信号を出力してセンターコンソールユニット２００を移動させるとともに、表示部２２０と操作部２３０を突出させる設定値であれば突出させ、筐体部２１０内に収納させる設定値であれば筐体部２１０内に収納する（ステップ１３２０）。このステップ１３２０の動作後、ステップ１３０１に戻り、操作部２４１、２４２の操作待受状態となり、ステップ１３０１以降の動作処理は上記説明と同様になる。
【００５５】
また、ステップ１３１８で１ポジションの移動と判断されなかった場合は、設定値選択手段１１０１が２ポジションの移動か否かを判断し（ステップ１３２１）、このステップ１３２１で２ポジションの移動と判断された場合は、ステップ１３１７の内容に基づき、設定値選択手段１１０１が、現在のポジションに２ポジションを加算したポジションに対応するセンターコンソールユニット２００の移動方向及び移動距離と、表示部２２０を筐体部２１０の上面から突出させるか否かの表示部設定値と、操作部２３０を筐体部２１０の上面から突出させるか否かの操作部設定値とを選択して移動制御手段１１０３に出力し（ステップ１３２２）、このステップ１３２２の処理後、移動制御手段１１０３が設定値選択手段１１０１からの出力を受けて、所定の移動動作を行うよう移動手段１１０４に対して動作制御信号を出力してセンターコンソールユニット２００を移動させるとともに、表示部２２０と操作部２３０を突出させる設定値であれば突出させ、筐体部２１０内に収納させる設定値であれば筐体部２１０内に収納する（ステップ１３２３）。このステップ１３２３の動作後、ステップ１３０１に戻り、操作部２４１、２４２の操作待受状態となり、ステップ１３０１以降の動作処理は上記説明と同様になる。
【００５６】
また、ステップ１３２１で２ポジションの移動と判断されなかった場合は、設定値選択手段１１０１が３ポジションの移動か否かを判断し（ステップ１３２４）、このステップ１３２４で３ポジションの移動と判断された場合は、ステップ１３１７の内容に基づき、設定値選択手段１１０１が、現在のポジションに３ポジションを加算したポジションに対応するセンターコンソールユニット２００の移動方向及び移動距離と、表示部２２０を筐体部２１０の上面から突出させるか否かの表示部設定値と、操作部２３０を筐体部２１０の上面から突出させるか否かの操作部設定値とを選択して移動制御手段１１０３に出力し（ステップ１３２５）、このステップ１３２５の処理後、移動制御手段１１０３が設定値選択手段１１０１からの出力を受けて、所定の移動動作を行うよう移動手段１１０４に対して動作制御信号を出力してセンターコンソールユニット２００を移動させるとともに、表示部２２０と操作部２３０を突出させる設定値であれば突出させ、筐体部２１０内に収納させる設定値であれば筐体部２１０内に収納する（ステップ１３２６）。このステップ１３２６の動作後、ステップ１３０１に戻り、操作部２４１、２４２の操作待受状態となり、ステップ１３０１以降の動作処理は上記説明と同様になる。
また、ステップ１３２４で３ポジションの移動と判断されなかった場合は、設定値選択手段１１０１が４ポジションの移動と判断し、ステップ１３１７の内容に基づき、設定値選択手段１１０１が、現在のポジションに４ポジションを加算したポジションに対応するセンターコンソールユニット２００の移動方向及び移動距離と、表示部２２０を筐体部２１０の上面から突出させるか否かの表示部設定値と、操作部２３０を筐体部２１０の上面から突出させるか否かの操作部設定値とを選択して移動制御手段１１０３に出力し（ステップ１３２７）、このステップ１３２７の処理後、移動制御手段１１０３が設定値選択手段１１０１からの出力を受けて、所定の移動動作を行うよう移動手段１１０４に対して動作制御信号を出力してセンターコンソールユニット２００を移動させるとともに、表示部２２０と操作部２３０を収納させる（ステップ１３２８）。このステップ１３２８の動作後、ステップ１３０１に戻り、操作部２４１、２４２の操作待受状態となり、ステップ１３０１以降の動作処理は上記説明と同様になる。
【００５７】
なお、ステップ１３１５で設定値選択手段１１０１が操作部４２２の操作は行われていないと判断した際は、ステップ１３０１に戻り、操作部２４１、２４２の操作待受状態となり、ステップ１３０１以降の動作処理は上記説明と同様になる。
【００５８】
次に、本実施の形態１では、移動体用機器配設装置に加えて、撮像手段としてのカメラ１０８、２５０を用いた移動体用情報処理装置を備えており、以下、この移動体用情報処理装置について図１、図２、図１９〜図２１を用いて説明する。
【００５９】
図１９は、カメラ１０８、２５０を用いた移動体用情報処理装置の概略構成を示した概略構成図、図２０は、図１９の要部としてのカメラにて撮影対象となる撮影対象物を示す説明図、図２０は図１８の移動体用情報処理装置の動作の流れを示すフローチャートである。
【００６０】
１０８はインストゥルメントパネル１０２に設けられた撮像手段としてのカメラであり、２５０はセンターコンソールユニット２００の前面部に設けられた撮像手段としてのカメラである。
【００６１】
これらカメラ１０８、２５０は、同じ機能を有しており、カメラ１０８、２５０の前部に撮影対象物を翳して可視情報を撮影するものであり、この撮影対象物とは、例えば、物を購入した際にその店から発行されるレシートや、新聞の折り込みチラシ、観光ガイドブック等の内容である。
【００６２】
これら情報源をカメラ１０８、２５０で取り込み、インストゥルメントパネル１０２に設けられた表示部１０６やセンターコンソールユニット２００に設けられた表示部２２０に表示されるようになっている。
【００６３】
１９０１は、カメラ１０８、２５０で撮影され、出力された可視情報と後述する記憶手段に記憶されたカメラ１０８、２５０で撮影された可視情報を解析するための可視情報が示された辞書情報とを比較して解析する解析手段、１９０２は解析手段１９０１がカメラ１０８、２５０で撮影した可視情報の内容を解析する際に比較対象とする可視情報としての辞書情報を記憶した記憶手段であり、この記憶手段１９０２には、図形や記号、アルファベットやひらがな、かたかな、漢字、数字等の文字を認識する上で必要な辞書情報を記憶している。また、１９０３は解析手段１９０１の解析結果を表示手段１０６、２２０に対して出力し、表示させるよう制御する表示制御手段であり、移動体用情報処理装置はこれらから構成されている。
【００６４】
図２０は、店で発行されるレシートの表示例であり、２００１は店名、２００２はその店の所在地（住所）、２００３は購入日、２００４は支払い対象の品名、２００５は支払いの内訳である。
【００６５】
この図２０に用いられた各情報２００１〜２００５をカメラ１０８かカメラ２５０で撮影し、この撮影した内容が記憶手段１９０２に記憶されている辞書情報と比較して解析手段１９０１が解析、即ち、各情報２００１〜２００５の文字情報等の認識を行い、この認識結果（解析結果）を表示部１０６か表示部２２０に表示するものである。
【００６６】
次に動作について図２１を用いて説明する。この図２１は、移動体用情報処理装置の動作の流れを示すフローチャートである。
【００６７】
まず、自動車の電源が投入されると装置への撮像操作を待つ受ける待受状態となり（ステップ２１００）、動作が開始される。次にカメラ１０８かカメラ２５０から可視情報を読み取ったか否かを解析手段１９０１が判断し（ステップ２１０１）、このステップ２１０１で可視情報を読み取ったと判断した場合は、解析手段１９０１が記憶手段１９０２からカメラで読み取った可視情報に対応した情報がどの情報に該当するのか選別して抽出し、解析を行う（ステップ２１０２）。
【００６８】
このステップ２１０２で解析された結果が、解析手段１９０１から出力されたか否か表示制御手段１９０３が判断し（ステップ２１０３）、このステップ２１０３で解析結果が出力されたと判断した場合は、この結果を表示部１０６か表示部２２０に表示する（ステップ２１０４）。
【００６９】
このステップ２１０４の処理が完了後、再度ステップ２１０１に戻り、撮像操作を待つ受ける待受状態となり、ステップ２１０１以下、上記と同様の処理が行われる。
なお、解析手段１９０１がステップ２１０１で可視情報を読み取っていないと判断した場合は、再度、ステップ２１０１に戻り、撮像操作を待つ受ける待受状態となり、ステップ２１０１以下、上記と同様の処理が行われる。
また、ステップ２１０３で解析結果が出力されないと判断した場合は、再度ステップ２１０３に戻り、解祈結果が出力されるまで待受状態となる。
【００７０】
従って、上記のように、自動車１００の運転席１２１と助手席１２２との間に挟まれる位置に設けられ、ＣＤプレーヤやカセットテーププレーヤ、ＤＶＤプレーヤ等を配設可能にした配設手段に、これら装置への操作を行う操作部と、これら装置の可視情報を映像として表示する表示手段とを収納可能で且つ突出可能に構成されたセンターコンソールユニット２００をレール部１１０に沿って移動可能にし、各座席それぞれに対応したセンターコンソールユニット２００の移動設定値、表示部２２０の突出設定値、及び操作部２３０の突出設定値を予め記憶しておき、操作内容によって適正にセンターコンソールユニット２００を使用できるよう構成したことにより、どの席の着座者においても、音響機器や映像再生機器への適切な位置での操作が可能となり、操作に基づき、センターコンソールユニット２００を各座席の着座者に対応した位置まで自動的に移動されるので、使用者自らがセンターコンソールユニット２００の位置を微調整しながら決めなくても、自動的に最適な位置に設定されるため、設定操作の煩わしさが解消され、使用者の利便性が向上する。即ち、操作部への操作のみで自動的に表示部２２０や操作部２３０を上方へ突出させたり、収納させることができるので、このような煩わしい動作を解消でき、使用者の利便性が向上するものである。
【００７１】
また、店が発行したレシート等の可視情報を自動車内に設置されたカメラで読み取り、この解析結果を自動車内に設けられた表示部に表示できるので、使用者の利便性が向上する。
【００７２】
実施の形態２．
次に、本発明の他の実施の形態２に係る移動体用機器配設装置について説明する。なお、この実施の形態２では移動体用表示装置を用いた移動体用機器配設装置としている。
上記した実施の形態１では、レール部１１０とセンターコンソールユニット２００とは、自動車内の床部（フロア部）に設けるように説明したが、これらレール部１１０とセンターコンソールユニット２００とを自動車内の天井部に設けても良い。
【００７３】
図２２は、実施の形態２の移動体用表示装置を用いた移動体用機器配設装置の概略構成を示す概略構成図であり、１２１は運転席、１２２は助手席、１３１は運転席の後ろに位置する右側中間席、１３２は助手席の後ろに位置し、右側中間席の左側に位置する左側中間席である。
【００７４】
また、２２００は自動車室内の天井部であり、この天井部２２００には、第１表示手段としてのルームミラー２２１０と、右側に配置された座席１２１、１３１と左側に配置された座席１２２、１３２との間に位置する箇所で、自動車の前後方向に設けられた案内手段としてのレール部２２２０と、このレール部２２２０によって案内され、図１と同様にＡ方向またはＢ方向に移動可能で、複数の音響機器や映像再生機器を収納したセンターコンソールユニット２２３０とが設けられている。
【００７５】
ルームミラー２２１０は、運転席１２１前方の天井面に設けられ、自動車の後方や車室内の状況を表示する機能を有しており、外観は、図２３に示すとおりである。このルームミラー２２１０の後方視界は破線で示している。
レール部２２２０は、溝部が形成され、この溝部の開口部は溝部より長さが短く形成されており、後述するセンターコンソールユニット２２３０をレール部２２２０に取り付けた際、溝部の開口部の裏面にてセンターコンソールユニット２２３０の車輪部を保持するため、センターコンソールユニット２２３０が落下しないようになっている。
【００７６】
また、レール部２２２０の溝部開口部の裏面には、センターコンソールユニット２２３０の車輪部に形成された噛合部と係止する係止部が形成されており、車輪部に内蔵されている駆動モータにより、駆動モータを回動動作して車輪部を回動動作させてＡ方向またはＢ方向にセンターコンソールユニット２２３０を移動するようになっている。
【００７７】
このレール部２２２０とセンターコンソールユニット２２３０との関係を示す断面図は背景技術で説明した図５０と同様の機構となっている。
【００７８】
次に、センターコンソールユニット２２３０について説明する。
２２３０はセンターコンソールユニットであり、センターコンソールユニットの筐体部２２４０と、この筐体部２２４０の一部に開口部が形成され、この開口部内に収納可能に設けられ、使用時には筐体部２２４０の下面２２４１の下方に突出する第２表示手段としての表示部２２５０と、筐体部２２４０の後面（図２２では手前側）に設けられた操作部２２６０と、筐体部２２４０内に配設された音響装置や映像装置にＣＤやＭＤやＤＶＤ等の記憶媒体を挿入する挿入口２２７１と、センターコンソールユニット２２３０をＡ方向に移動させる際に操作する操作部２２７１と、センターコンソールユニット２２３０をＢ方向に移動させる際に操作する操作部２２７２とで構成されている。
【００７９】
また、２２８０はセンターコンソールユニット２２３０の下面に設けられ、自動車後方や周辺、及び車室内の映像を撮影する撮像手段としてのカメラであり、自動車の前後方向や左右方向を撮影可能にするよう３６０°方向に回動可能に構成されている。このカメラ２２８０は、通常、自動車後方が撮影可能な位置で保持されている。
【００８０】
また、筐体部２２４０の下面２２４１には複数の開口部２２４２が形成されており、これら複数の開口部２２４２にはＩＣカードのようなメモリカードがそれぞれ挿入できる挿入口となっており、本実施の形態では５枚のメモリカードが挿入可能となっている。
【００８１】
なお、表示部２２５０を筐体部２２４０の下面２２４１から突出させたり筐体部２２４０内に収納させたりする駆動機構は、実施の形態１で説明した図４〜図６に示す駆動機構と同様の構成物が筐体部２２４０内に設けられている。
【００８２】
また、表示部２２５０は筐体部２２４０がレール部２２２０のどこの位置に位置しているかにより、Ｃ方向に移動して筐体部２２４０の下面から表示部２２５０が突出されたり、Ｄ方向に移動して筐体部２２４０の中に収納されるように構成されている。
【００８３】
また、センターコンソールユニット２２３０を使用していない際は、図２８に示すように自動車内の最前方まで移動されるようになっている（センターコンソールユニット２２３０の初期位置）。
【００８４】
ここで、実施の形態１で説明した図１との相違点としては、センターコンソールユニット２２３０の上下の向きが逆になっているとともに、操作部２２６０がセンターコンソールユニット２２３０の側面前面部に設けられており、実施の形態１で説明したように筐体部２２４０内に収納可能には構成されておらず、また、筐体部２２４０の下面２２４１に３６０°回動可能なカメラが設けられている。
【００８５】
次に、ルームミラー２２１０の表示について図２３〜図２５を用いて説明する。ルームミラー２２１０の構成としては、背景技術で説明した図５１、図５２で説明した構成と同様となっている。
【００８６】
ルームミラー２２１０は通常、ミラー（鏡）面２２１２となっており、このミラー面２２１２の全面にて後方映像が写し出されている。この時、ルームミラー２２１０内部に設けられた液晶部（図示せず）が指令に基づき、導通状態になると、図２４に示すとおり、ミラー面２２１２の一部に液晶部の表示部２２１３が表示され、実際に、カメラ２２８０にて撮影された後方映像を表示すると図２５に示すとおりになる。
【００８７】
なお、２２１１はルームミラー２２１０を自動車１００の天井部２２００に取り付けられる支持部である。なお、この支持部２２１１は、天井部２２００に取り付けるのではなく、フロントガラス１０１の中央部上方に取り付けるようにしてもよい。
【００８８】
次に、図２６、図２７を用いて本実施の形態２の動作制御を行なう主要部の構成、及び動作の流れについて説明する。
図において、２２５０は第２表示手段としてのセンターコンソールユニット２２３０に突出／収納可能に形成された表示部、２６０１は表示部２２５０が突出しているか否か、即ち表示部２２５０の収納状態を実施の形態１で説明した図１１に示す設定値選択手段が選択した表示部設定値に基づき判断する収納状態判断手段、２２６２は収納状態判断手段２２６１が判断した結果に基づき、後述する撮像手段２２８０と第１表示手段２２１０に動作指令を出力する表示制御手段であり、この表示制御手段２６０２は表示部２２５０が筐体部２２４０内に収納されていると収納状態判断手段が判断した場合は、撮像手段２２８０及び第１表示手段２２１０に対して動作指令を出力せず、表示部２２５０が筐体部２２４０の下面２２４１から下方に突出していると判断した場合は、撮像手段２２８０及び第１表示手段２２１０に対して動作指令を出力するようになっている。
【００８９】
また、表示制御手段２６０２が出力した動作指令に基づき、撮影動作を開始し、撮影した映像を出力する撮像手段としてのＣＣＤカメラ等のカメラ２２８０、表示制御手段２６０２が出力した動作指令に基づき、導通状態となってカメラ２２８０から出力される映像を表示するよう動作する第１表示手段としてのルームミラー２２１０であり、このルームミラーは導通状態になった際、図２３に示す状態となり、カメラ２２８０から映像が出力されると、図２４に示す状態のように、この映像を液晶部の表示部２２１３に表示する。
【００９０】
なお、本実施の形態２ではセンターコンソールユニット２２３０に設けた表示部２２５０の収納状態により、カメラ２２８０の動作、及びこの撮像手段２２８０が撮影した映像を表示部２２４０が表示するようにしていたが、以下のとおりにしても良く、図２７にはこれら構成要素も含めている。
【００９１】
即ち、運転席１２１の近傍に操作手段２６０３を設け、この操作手段２６０３が操作された場合は、センターコンソールユニット２２３０に設けられた表示部２２５０が突出されている収納されているかに関わらず、カメラ２２８０及びルームミラー２２１０に対して動作指令を出力し、カメラ２２８０で撮影された映像をルームミラー２２１０に設けられた液晶部の表示部に表示するようにしている。このため、センターコンソールユニット２２３０の表示部２２５０が筐体部２２４０内に収納されている際に、運転者がカメラ２２８０で撮影された映像をルームミラーに表示して見たい場合等に有用である。
【００９２】
また、カメラ２２８０は３６０°回動動作可能に構成しており、使用者の好みに応じてカメラ２２８０の撮影方向を変更できるようになっている。即ち、運転席１２１の近傍にカメラ２２８０の撮影方向の変更を行なう撮影方向変更手段２６０４が設けられており、カメラ２２８０の通常の向きは真後方向であるが、例えば、運転者が好きな方向を見たい際に、簡単に操作することのみで、カメラ２２８０の向きが変更できる。
【００９３】
カメラの撮影方向の変更は、撮影方向変更手段２６０４への押圧操作が継続して行なわれている間、カメラ２２８０を回動動作制御するようにしたり、撮影方向変更手段２６０４への１回の操作につき２°ずつ時計方向に回転するようにしても良い。
【００９４】
次に、図１８を用いて本実施の形態２の動作の流れについて説明する。図１８は、本実施の形態２の動作の流れを示すフローチャートである。
まず、自動車の電源が投入されると装置の動作が開始され（ステップ２７００）、まず収納状態判断手段２６０１がセンターコンソールユニット２２３０の筐体部２２４０内に表示部２２５０が収納されているか否かを判断し（ステップ２７０１）、このステップ２７０１で表示部２２５０が筐体部２２４０の下面２２４１から下方に突出していると収納状態判断手段２６０１が判断した場合、表示制御手段２６０２がカメラ２２８０と、ルームミラー２２１０内に設けた液晶部の表示部２２１３とに対し、導通させてカメラ２２８０と表示部２２１３を動作させ（ステップ２７０２）、このステップ２７０２を受けてカメラ２２８０が向いている方向の映像を撮影し（ステップ２７０３）、このステップ２７０３にて撮影された映像を液晶の表示部２２１３にて表示する（ステップ２７０４）。
このステップ２７０４の処理後、ステップ２７０１に戻り、以下、上記と同様の処理を繰り返す。
【００９５】
また、ステップ２７０１で収納状態判断手段２６０１がセンターコンソールユニット２２３０の筐体部２２４０内に表示部２２５０が突出されていない、即ち、収納されていると判断した場合は、表示制御手段２６０２がカメラ２２８０及びルームミラー２２１０の液晶部に対して非導通を継続し、ルームミラー２２１０はミラー面２２１１の全面がミラーの機能とする（ステップ２７０５）。このステップ２７０５の処理後、再度ステップ２７０１に戻り、処理を繰り返す。
【００９６】
ここで、センターコンソールユニット２２３０の移動動作については、上記した実施の形態１と同様の動作、即ち、１ポジションごとに移動させた場合は、以下のとおりとなる。
センターコンソールユニット２２３０を使用していない際には、センターコンソールユニット２２３０は図２８に示すように、天井部２２００の中央前方でレール部２２２０の溝部内に支持されており、表示部は筐体部２２３０内に収納されている（第１ポジション）。
【００９７】
この第１ポジションの際、操作部２２７２への押圧操作が１回、即ちＡ方向への１ポジション分の移動を指令する操作があると、第１ポジションから運転席、助手席の前席対応である図２９に示す位置まで移動する（第２ポジション）。また、上記と同様に操作部２２７２への押圧操作が１回あると、第２ポジションから１ポジション分、Ａ方向に移動して中間席の左右席１３１、１３２対応である図２２に示す位置まで移動する（第３ポジション）。さらに、１ポジション分の移動を指令する操作があると、第３ポジションから１ポジション分、Ａ方向に移動して図示しない後席対応である位置まで移動する（第４ポジション）。
【００９８】
逆に、Ｂ方向へ移動する際は、上述した順序の逆、即ち、第４ポジションから図２２（第３ポジション）、図２９（第２ポジション）を経て図２８（第１ポジション）に示すように移動する。
この実施の形態２では、上記したセンターコンソールユニット２２３０の設置ポジションとして４個所としたが、上記した実施の形態１のように５個所のポジションとしてもよい。
また、センターコンソールユニット２２３０は、移動体の電源をＯＦＦした際、どの位置に設定されていても第１ポジションとしての図２８に示す初期位置に自動的に設定され移動するようになっている。
なお、自動車の床部と天井部のそれぞれにレール部２２２０を設けておき、使用用途によって、センターコンソールユニット２２３０をどちらかのレール部２２２０に付け替えることが可能なように構成しても良い。
【００９９】
従って、上記したように本実施の形態２では、レール部２２２０とセンターコンソールボックス２２３０とを自動車室内の天井部に設けるよう構成したため、自動車の床部（フロア部）を使用できないような移動体、即ち、フロア部が搭乗者の通路となっているような移動体である例えばバスや電車、飛行機等においても、上記した装置を利用できる環境を提供でき、装置の使用範囲が向上し、移動体内の限られたスペースを有効的に活用することができるという効果が得られる。
【０１００】
また、上記したようにセンターコンソールユニット２２３０に主に後方映像を撮影する撮像手段としてのカメラを設け、センターコンソールユニット２２３０の表示部２２５０が下方に突出している際、ルームミラー２２１０を用いて後方を見た場合、ルームミラー２２１０の後方視界である図２２に示す破線部の一部が表示部２２５０に遮られているため、後方視界が悪くなるが、この状態の際には、ルームミラー２２１０の一部に設けた液晶部の表示部にカメラで撮影した後方映像をリームミラー２２１０の液晶表示部に表示することにより、自動車の後方視界を遮ることがあった場合でも、運転者は常時、良好な後方視界を得ることができ、装置の利便性が向上する。
なお、上記した実施の形態２は、自動車の床部が使用できない場合と限定して説明したが、自動車の床部を使用できるものにおいても、本装置を使用しても良いことは言うまでもない。
【０１０１】
実施の形態３．
次に、本発明の他の実施の形態３に係る移動体用機器配設装置について説明する。
上記した実施の形態１、２では、記憶手段１１０２には図１２に示す各設定値が記憶されていると説明したが、これら設定値は初期設定値として各設定値を使用者が適宜変更可能に構成してもよく、このように構成することにより使用者の利便性がさらに向上する。
【０１０２】
実施の形態４．
次に、本発明の他の実施の形態４に係る移動体用機器配設装置について説明する。
上記した実施の形態１〜３では、センターコンソールユニット２００、２２３０を移動動作させる際、センターコンソールユニット２００、２２３０の前面部に設けられた操作部２４１、２４２、２２７２、２２７３を操作するよう説明していたが、座席ごとにリモートコントローラー（図示せず）を設けておき、これらリモートコントローラーからの操作でもセンターコンソールユニットの移動を可能に構成しても良く、このように構成したことにより、使用者の操作性がさらに向上する。
【０１０３】
実施の形態５．
次に、本発明の他の実施の形態５に係る移動体用機器配設装置について説明する。
上記した実施の形態１〜４では、センターコンソールユニット２００に設けられた表示部２２０は上下方向に移動することのみ説明したが、表示面と表示部２２０の支持部２２１との間に表示部２２０を上下左右方向に向きを調節できる方向調節機構を設けても良く、このように構成したことにより、使用者の体型等に合わせることができ、使用者が表示部２２０の表示面を見る際、最適な角度で見ることができるため、使用者の利便性がさらに向上する。
【０１０４】
実施の形態６．
次に、本発明の他の実施の形態６に係る移動体用機器配設装置及び移動体用表示装置について説明する。
上記した実施の形態２では、天井部２２００に設けられたセンターコンソールユニット２２３０が、天井部２２００に設けられたレール部２２２０に案内されて自動車の前後方向に移動可能なように説明したが、本実施の形態６では、実施の形態１と同様の移動体用機器配設装置を自動車内の床部に移動可能に設けるとともに、天井部には移動体用表示装置を天井部の所定箇所、例えば図３０に示すように自動車内に設けられた前席と中間席との間に固定させて設けても良い。
【０１０５】
図３０は実施の形態６の移動体用機器配設装置及び移動体用表示装置の概略構成を示す概略構成図、図３１は図３０の要部構成を示すブロック図、図３２は実施の形態６の移動体用表示装置の動作の流れを示すフローチャート、図３３は図３０の要部である表示部を筐体部内に収納した状態を示す説明図、図３４は図３０の要部である表示部を筐体部内に収納した状態を示す説明図である。
【０１０６】
これら図において、自動車１００内の床部には運転席と助手席との間に設けられたレール部１１０と、このレール部の溝部内に案内されＡ方向またはＢ方向に移動するセンターコンソールユニット２００とで構成された移動体用機器配設装置と、天井部２２００には運転席上方に設けられた主に後方の映像を表示するルームミラー２２１０と、前席より後席の搭乗者が主に利用する表示ユニット３０００とで構成された移動体用表示装置とが備えられている。
【０１０７】
表示ユニット３０００は、一部に表示部３０２０（後述する）が収納される収納部３０２１を形成した筐体部３０１０と、この筐体部３０１０の収納部３０２１に収納可能であり、使用者が使用する際、係止部３０１２の係止を外しながら表示面を下方に突出させる表示部３０２０と、表示部３０２０の後方（図３０では手前側）に設けられ、指令に基づき３６０°方向の撮影が可能な撮像手段としてのカメラ３０３０とで構成されている。
次に、図３１、図３２を用いて本実施の形態６の動作制御を行なう主要部の構成、及び動作の流れについて説明する。
【０１０８】
図において、３１００は自動車外から指令を送信する送信部３１０１及び受信部３１０２を設けた第１通信手段であり、この第１通信手段３１００には、受信部３１０２で受信した可視情報を表示する第３の表示手段としての表示部３１０３を設けている。
【０１０９】
３１１０は、後述する撮像手段３１２０が撮影した映像情報を第１通信手段３１００の受信部３１０２に対して送信する送信部３１１１と第１通信手段３１００の送信部３１０１から送信された信号を受信する受信部３１１２とを設けた第２通信手段である。
本実施の形態６の移動体用機器配設装置及び移動体用表示装置を備えた自動車の所有者が自宅にいる時、駐車場に駐車している自己の自動車が悪戯や盗難などに遭っていないか等で自動車の周辺や室内等の様子を知りたい際に、第１通信手段３１００の送信部３１０１から自動車内の周辺を撮影するよう操作して指令信号を送信し、この送信部３１０１から送信された指定信号を第２通信手段３１１０の受信部３１１２が受信し、操作手段２６０３を介して撮像手段３０３０が撮影するように撮像手段３０３０に対して導通する。このとき、操作者が自動車の周辺、即ち、自動車の周囲である３６０°の映像や、特定の方向を見たいときには、この指令も送信部３１０１から送信されるため、撮影方向変更手段２６０４にて撮像手段３０３０の撮影方向を指令する。
【０１１０】
これを受けて撮像手段３０３０は所定方向の撮影を行ない、この撮影された映像情報を第２通信手段の送信部３１１１に出力して送信部３１１１から第１通信手段３１００に向けて送信する。
この送信を受けて第１通信手段３１００の受信部３１０２が送信信号を受信し、この受信に基づき、撮像手段３０３０が撮影した映像を第３表示手段３１０３に表示させるように構成されている。
【０１１１】
ここで、第１の通信手段３１００について、図３５、図３６を用いて説明する。
図３５は、第１通信手段３１００として携帯電話３５００を用いたものであり、この携帯電話３５００は、第３表示手段としての表示部３５１０と、第２通信手段３２００に対して指令信号を出力する操作部３５２０とで構成されている。なお、図示していないが、携帯電話３５００の内部に送信部３５０１と受信部３５０２が設けられている。表示部３５１０に表示されている内容は、カメラ３０３０の撮影方向を前方として撮影したものである。
【０１１２】
また、図３６は、第１通信手段３１００としてパーソナルコンピュータ（以下、パソコンと称す）３６００を用いたものであり、パソコン本体３６１０と、このパソコン本体３６１０からの情報を表示する表示部３６２０と、パソコン本体３６１０に対して操作を行なう操作部であるキーボード３６３０とから構成されている。
なお、図示していないが、パソコン本体３６１０には外部と通信する通信アダプタが設けられており、この通信アダプタにより送信部３５０１と受信部３５０２との機能を有している。表示部３６２０の表示面３６２１に表示されている内容は、図３５と同様で、カメラ３０３０の撮影方向を前方として撮影したものである。
【０１１３】
以上のように、通常の撮像手段３０３０は、自動車の電源操作であるイグニッションをＯＮし、第２表示手段２２５０の収納状態に基づいて動作制御されるが、操作手段２６０３と撮像方向変更手段２６０４を介して指令があれば導通状態となるように構成されている。
【０１１４】
次に、図３２を用いて本実施の形態６の動作の流れについて説明する。
まず、初期状態で動作が開始され（ステップ３２００）、イグニッションがＯＦＦかＯＮかを判断し（ステップ３２０１）、このステップ３２０１でイグニッションＯＦＦと判断した場合は、第１通信手段３１００から指令信号が送信されたか否かを第２通信手段３１１０の受信部３１１２が判断する（ステップ３２０２）。
【０１１５】
このステップ３２０２で指令信号を受信したと第２通信手段３１１０の受信部３１１２が判断した場合は、第１通信手段３１００から送信された指令信号に撮像手段３０３０の撮像方向を変更する指令が含まれているか否かの判断を第２通信手段３１１０の受信部３１１２が行なう（ステップ３２０３）。
【０１１６】
このステップ３２０３で撮像方向の変更があると判断した場合は、撮像方向変更手段２６０３が撮像手段３０３０の撮像方向を指令に基づいて変更し（ステップ３２０４）、操作手段２６０４が撮像手段３０３０に対して撮影を開始させる（ステップ３２０５）。
このステップ３２０５で撮影された映像情報を第２通信手段３１１０の送信部３１１１が第１通信手段３１００に向けて送信し（ステップ３２０６）、撮影終了の指令が第１通信手段３１００から送信されたか否かを第２通信手段３１１０の受信部３１１２が判断し（ステップ３２０７）、このステップ３２０７で撮影終了の指令があったと判断した場合は、撮像手段３０３０の撮影を終了し（ステップ３２０８）、ステップ３２０１に戻り、処理を繰り返す。
【０１１７】
また、ステップ３２０１でイグニッションがＯＮ状態と判断した場合は、図２７に示すステップ１７０１へ進み、以降の動作を行なう。
また、ステップ３２０２で第１通信手段３１００からの指令信号が送信されていないと判断した場合は、再度ステップ３２０１に戻り、動作を繰り返す。
さらに、ステップ３２０３で撮像手段３０３０の撮影方向を変更する指令信号が受信されなかった場合は、撮像手段３０３０の撮影方向は現在、設定されている方向でいいと判断して撮影方向を変更せずに撮像手段３０３０の撮影を開始する（ステップ３２０９）。
また、ステップ３２０７で撮影終了の指令が第１通信手段３１００から送信されていないと判断した場合は、再度、ステップ３２０６に戻り、処理を繰り返す。
なお、図３３、図３４は自動車の右後方から見た説明図であり、図３３は表示ユニット３０００に設けられた表示部３０２０を収納し、撮像手段であるカメラ３０３０の撮影方向は自動車後方（図３３では手前側）に向いている状態を示しており、図３４は係止部３０１２を操作して筐体部３０１０に形成された表示部３０２０の収納部３０１１から下方に突出させた状態を示している。カメラ３０３０の撮影方向は図３３と同じである。
【０１１８】
従って、上記したように本実施の形態６では、携帯電話３５００やパソコン３６００と通信する第２通信手段を自動車内に設け、自動車内が無人の時でも、第１通信手段３１００としての携帯電話３５００やパソコン３６００を用いて自動車室内や周囲の映像を見ることができるよう構成したので、無人自動車の監視を簡単に行なえ、使用者の利便性が向上するという効果が得られる。
【０１１９】
実施の形態７．
次に、本発明の他の実施の形態７に係る移動体用表示装置を用いた移動体用機器配設装置について図３７〜図３９を用いて説明する。
図３７は自動車内に設けられた中間席にチャイルドシートを搭載し、このチャイルドシートに幼児が着座している状態を示した説明図、図３８は撮像手段としてのカメラ３０３０でチャイルドシートに着座している幼児を撮影した映像を自動車内に設けた表示部に表示している状態を示す説明図、図３９は図３８で説明した表示部の表示拡大図である。
【０１２０】
上記した実施の形態６では、外部の第１通信手段３１００に自動車室内の様子や自動車の周囲の様子を送信するよう説明したが、カメラ３０３０で撮影した自動車室内の映像を自動車内のインストゥルメントパネル１０２に設けられた表示装置１０６に表示させるようにしてもよい。
【０１２１】
特に、目が離せない幼児や妊婦などが自動車に搭乗している際、運転者は走行時、後方を振り返ることができない。このため、カメラ３０３０で撮影した映像をインストゥルメントパネル１０２に設けられた表示装置１０６に表示させるようにするものであり、運転席の近傍にカメラ３０３０の撮影を行なわせる操作部（図示せず）が設けられており、自動車室内の状況をインストゥルメントパネル１０２に設けられた表示装置１０６に表示させる際は、操作部を操作してカメラ３０３０で撮影させて表示装置１０６に表示されるようになっている。また、図３７では、カメラ３０３０の撮影方向が後方になっているが、撮影方向の変更も可能となっている。
【０１２２】
従って、上記のように構成したので本実施の形態７は自動車室内の映像を間近にある表示装置に表示させることができ、装置の利用範囲が広がり、装置の利便性がさらに向上する。
【０１２３】
実施の形態８．
次に、本発明の他の実施の形態８に係る移動体用機器配設装置について図４０〜図４２を用いて説明する。
実施の形態１、２では、センターコンソールユニット２００を移動させる際、センターコンソールユニット２００の前面部に設けられた操作部２４１、２４２を操作するように説明したが、本実施の形態８では、自動車内に設けられた各座席に着座している着座者を検出し、着座している座席に対応した箇所への移動をさらに簡単に選択できるようにしたものである。
【０１２４】
図４０において、４００１は自動車内に設けられた各座席に着座者がいるか否かを検出する着座者検出手段であり、この着座者検出手段４００１は座席の略中央部に圧力センサや乗員カメラ等（図示せず）が設けられており、着座者がいると圧力センサに押圧力がかかるため着座者ありと検出されるものであり、また、乗員カメラで座席上を撮影して画像解析を行なって着座者の有無を検出するものである。４００２は着座者検出手段４００１が検出した結果に基づき、各座席に着座者がいるか否かを判断する着座者有無判断手段である。この着座者有無判断手段４００２は、着座者検出手段４００１が検出した結果から、荷物を置いているだけの座席等は着座者なしと判断するものである。
【０１２５】
４００３は着座者検出手段４００１が着座者ありと検出した座席の着座者の姿勢や体型等を判断するポジションセンサ（図示せず）が設けられたものであり、４００４は着座者有無判断手段４００２と着座者状態判断手段４００３とから出力された結果に基づき、着座者がいる座席を一覧表示するよう表示部１０６、２２０に対して表示制御を行なう表示制御手段、この表示制御手段４００４の制御に基づき、図４１に示すように表示部１０６、２２０に一覧表示し、この内容を使用者が確認して選択操作し、この操作に基づき、設定値選択手段４００６は、記憶手段４００７（後述する）に記憶された移動設定値から所定の設定値を選択し、この設定値を出力するものである。４００７は図１２に示したように自動車室内に設けられた各座席１２０、１３０の位置それぞれに、車輪部２０１が移動する方向及び距離と、センターコンソールユニット２００に設けられた表示部２２０をセンターコンソールユニット２００の上面から突出させるか否かの設定値と、センターコンソールユニット２００に設けられた操作部２３０をセンターコンソールユニット２００の上面から突出させるか否かの設定値とを対応させて記憶した記憶手段である。
【０１２６】
また、４００８は設定値選択手段４００６が出力された記憶手段４００７から選択した移動設定値、表示手段突出設定値としての表示部設定値及び操作手段突出設定値としての操作部設定値に基づき、センターコンソールユニット２００を移動設定値に応じた移動を行い、表示部２２０と操作部２３０を筐体部２１０の上面から突出させるか筐体部２１０内に収納させる移動制御手段であり、４００９は移動制御手段４００８が出力した制御信号に基づき、センターコンソールユニット２００を図１に示すＡ方向またはＢ方向に移動させ、表示部２２０と操作部２３０とを筐体部２１０の上面に突出させたり筐体部２１０内に収納させる移動手段であり、実施の形態１で説明した構成と同様に移動手段４００９は車輪部２０１、この車輪部２０１の外周面に形成された噛合部２０２、車輪部２０１に内蔵され駆動部（図示せず）、レール部１１０、このレール部１１０の溝内に形成された係止部１１１、並びに、表示部２２０の駆動機構及び操作部２３０の駆動機構とで構成されている。
【０１２７】
なお、４００５は着座者有無判断手段４００２と着座者状態判断手段４００３とから出力された結果に基づき、自動車内に設けられたエアバッグ装置（図示せず）の動作を制御させるエアバッグ制御手段であり、このエアバッグ制御手段４００５が制御対象とするエアバッグ装置は、アドバンスド・エアバッグ装置という。
【０１２８】
次に、図４２を用いて動作の流れについて説明する。
自動車のイグニッションをＯＮすると装置の動作が開始され（ステップ４２００）、着座者検出手段４００１で自動車内の各座席の着座者を検出し（ステップ４２０１）、このステップ４２０１の処理後、着座者有無判断手段が着座者の有無を判断したか否かを判断し（ステップ４２０２）、このステップ４２０２で着座者有無を判断したと判断した場合は、表示制御手段４００４が表示部１０６、２２０に着座者一覧を表示させ（ステップ４２０３）、このステップ４２０３で表示された一覧表示から使用者がどの座席対応でセンターコンソールユニット２００を移動させるかの選択を行なったか否かを判断し（ステップ４２０４）、このステップ４２０４で選択されたと判断した場合は、この選択に対応した各設定値を設定値選択手段４００６が記憶手段４００７から選択し、この選択された設定値に基づき、移動制御手段４００８が移動手段４００９を移動させる（ステップ４２０５）。このステップ４２０５の処理の後、移動が完了したか否かを判断し（ステップ４２０６）、ステップ４２０６で移動が完了したと判断した際は、ステップ４２０１に戻り、処理を繰り返す。
【０１２９】
また、ステップ４２０２で着座者の有無を判断していないと判断した場合は、再度ステップ４２０１に戻り、処理を繰り返す。
また、ステップ４２０２で着座者有無の判断を行なったと判断した場合、ステップ４２０３に進むとともに、エアバッグ制御手段４００５に着座者有無判断手段の判断結果を出力してエアバッグ装置の動作待機状態となる（ステップ４２０７）。この後、イグニッションがＯＦＦされたか否かを判断し（ステップ４２０８）、このステップ４２０８でイグニッションがＯＦＦされたと判断した場合は、エアバッグ装置の動作制御が終了する（ステップ４２０９）。
【０１３０】
次に、ステップ４２０４で選択操作がないと設定値選択手段４００６が判断した場合は、再度、ステップ４２０３に戻り、処理を繰り返す。
また、ステップ４２０６でセンターコンソールユニット２００の移動が完了していないと判断した場合は、ステップ４２０５に戻り、処理を繰り返す。
また、ステップ４２０８でイグニッションＯＦＦされていないと判断した場合は、再度ステップ４２０８に戻り、エアバッグ装置の動作待機状態を継続させる。
【０１３１】
従って、上記のようにエアバッグ装置に用いる着座者情報を移動体用機器配設装置の移動設定に有効利用できるように構成したため、使用者がセンターコンソールユニット２００を移動する際の煩わしい操作を最低限の操作のみにできるので、装置の操作性、及び装置の利便性がさらに向上する。
【０１３２】
実施の形態９．
次に、本発明の他の実施の形態９に係る移動体用情報処理装置を用いた移動体用機器配設装置について図４３〜図４５を用いて説明する。図４３は移動体用情報処理装置にナビゲーション装置を備えた構成を示す構成図、図４４は図４３の装置に表示される表示例を示した説明図、図４５は図４３に示す移動体用情報処理装置の動作の流れを示すフローチャートである。
【０１３３】
図４３において、レシート等の情報源を撮像手段としてのカメラ１０８や、カメラ２５０で取り込み、インストゥルメントパネル１０２に設けられた表示部１０６やセンターコンソールユニット２００に設けられた表示部２２０に表示されるものであり、４３０１はカメラ１０８、２５０で撮影され、出力された可視情報と後述する記憶手段に記憶されたカメラ１０８、２５０で撮影された可視情報を解析するための可視情報が示された辞書情報とを比較して解析する解析手段、４３０２は解析手段４３０１がカメラ１０８、２５０で撮影した可視情報の内容を解析する際に比較対象とする可視情報としての辞書情報を記憶した記憶手段であり、この記憶手段４３０１には、実施の形態１でも説明したように、図形や記号、アルファベットやひらがな、かたかな、漢字、数字等の文字を認識する上で必要な辞書情報を記憶している。
【０１３４】
また、４３０３は表示部１０６や表示部２２０に自車の現在位置や現在位置周辺の地図情報等を表示させるナビゲーション手段であり、このナビゲーション手段４３０３は目的地の設定や、この目的地までの経路探索、経路誘導等が行なえるものである。４３０４はナビゲーション手段４３０３に対して所定の操作を行なう操作手段であり、この操作手段４３０４は目的地や経路探索等の設定を決定する時などに操作するものである。
【０１３５】
４３０５は解析手段４３０１の解析結果とナビゲーション手段４３０３からの現在位置情報等とに基づき、表示部１０６や表示部２２０に表示させる表示制御手段であり、この表示制御手段４３０５の表示制御信号はナビゲーション手段４３０３に出力され、ナビゲーション手段４３０３では、この表示制御信号を受けて解析手段４３０１が解析した結果を目的地設定や経路探索、経路誘導の設定等に反映させて再度、表示制御手段４３０５に出力し、表示部１０６や表示部２２０に表示させる。
【０１３６】
実施の形態１で説明した図２０を用いて説明すると、例えば、気に入った店のレシートを持っていて、この店までの経路案内をナビゲーション手段４３０３にさせる場合、レシートの内容をカメラ１２８や２５０で読み込ませて、解析手段４３０１にて文字解析等を行なう。この時、レシートには２００２に示すように「東京都立川市一番町６丁目」という住所が記載されていることから、この住所データをナビゲーション手段４３０３が目的地と設定するか否かを使用者に確認させる。この際の表示部１０６や表示部２２０の表示例が図４４に示すとおりであり、ここで、「ＹＥＳ」を選択するとレシートに記載していた住所が目的地として設定され、使用者の住所入力等の操作なしで目的地の設定や、この目的地設定後にこの目的地までの経路探索、経路誘導を行なわせることができるものである。
【０１３７】
次に、図４５を用いて動作の流れについて説明する。
イグニッションがＯＮされると装置の動作が開始され（ステップ４５００）、カメラ１２８、２５０で可視情報であるレシートの文字情報が読み込まれた否か判断し（ステップ２１０２）、読み込まれたと判断した場合は、この読み込まれた文字情報が記憶手段４３０２に記憶されているどの文字情報に該当しているかを解析手段４３０１が解析する（ステップ２１０２）。このステップ２１０２で解析手段４３０１は解析した内容がナビゲーション手段４３０３で用いられる関連情報か否かを判断し（ステップ４５０１）、このステップ４５０１でナビゲーション手段４３０３に関連する情報と判断した場合は、ナビゲーション手段４３０３の設定を行なう設定機能を表示する（ステップ４５０２）。このステップ４５０２で表示される表示例は図４４に示すものである。
【０１３８】
次に、ステップ４５０２で表示した内容に対して選択操作がなされたか否かをナビゲーション手段４３０３が判断する（ステップ４５０３）。この選択操作とは、図４４に示すような表示の際、「ＹＥＳ」か「ＮＯ」を選択することを示している。
このステップ４５０３で選択操作されたと判断した場合は、ナビゲーション手段４３０３が設定動作を行なう（ステップ４５０４）。図４４に示す内容であれば目的地としての設定動作を行なう。
【０１３９】
次に、ステップ４５０４での設定動作した内容を盛り込んだ内容の表示を表示制御手段４３０５が表示部１０６や表示部２２０に対して表示させる（ステップ４５０５）。このステップ４５０５の処理後、ステップ２１０１に戻り、以下、処理を繰り返し行なう。
【０１４０】
また、ステップ２１０１で可視情報が読み込まれていないと判断した場合は、再度ステップ２１０１に戻り、可視情報の読み込みが完了するまで繰り返す。
また、ステップ４５０１でナビゲーション手段４３０３がナビゲーション手段４３０３の設定値に関連する文字情報ではないと判断した場合は、図２１に示すステップ２１００に進む（ステップ４５０６）。
また、ステップ４５０３で選択操作されていないと判断した場合は、再度ステップ４５０３に戻り、処理を繰り返す。
【０１４１】
従って、上記のようにレシート等の可視情報からナビゲーション機能に関連する情報を解析し、選択操作を簡単に行ないやすくしたので、ナビゲーションの設定操作を極めて簡素化でき、使用者の利便性及び装置の操作性が向上する。
【０１４２】
実施の形態１０．
次に、本発明の他の実施の形態１０に係る移動体用情報処理装置について説明する。
上記した実施の形態９は、好印象だった店のレシートや地図等を持っていれば、その店の位置を自動車に設置されたナビゲーション装置にメモリして、将来のドライブ時に手軽に利用できるのでしたものを説明したが、ドライブ時に支払った費用の計算等も行なえるようにしてもよい。
即ち、図２２に示すレシートの金額等を集計し、品目の内訳やそれらに支払った費用を一覧表示してもよく、このように構成することにより、家計簿代わりに利用することができ、装置の使用範囲が広がり、使用対象者の性別や年齢層も広げられるという効果が得られる。
【０１４３】
実施の形態１１．
次に、本発明の他の実施の形態１１に係る移動体用機器配設装置について、説明する。
上記した実施の形態１、２では、使用者の操作によって自動的にセンターコンソールユニット２００、２２００を移動させることを説明したが、自動車の動力源をオフ、即ち、イグニッションスイッチをオフした際に、センターコンソールユニット２００、２２００を予め設定された位置、即ち、デフォルト位置に自動的に戻るよう移動させるように構成しても良い。
【０１４４】
従って、上記のように構成したことにより、予め設定された設定位置は使用者が使用しやすい位置であることから、センターコンソールユニット２００、２２００の移動によって変更された位置を自動車のイグニッションをオフする際にリセットし、デフォルト位置に自動的に移動させることができ、使用者が搭乗する度にセンターコンソールユニット２００、２２００の移動を余儀なくされることなく、使用者の利便性が向上する。
【０１４５】
実施の形態１２．
次に、本発明の他の実施の形態１２に係る移動体用機器配設装置について、説明する。
上記した実施の形態１１では、自動車の動力源をオフ、即ち、イグニッションスイッチをオフした際に、センターコンソールユニット２００、２２００を予め設定された位置、即ち、デフォルト位置に自動的に戻るよう移動させるように構成することを説明したが、デフォルト位置を自動車の使用頻度が一番高い搭乗者である運転手の着座席、即ち、運転席と助手席との間に挟まれた位置に設定しておいても良い。
従って、自動車の使用頻度が最も高い運転手の座席に対応する位置をデフォルト位置として予め設定しておくため、運転手の利便性が向上する。
【０１４６】
実施の形態１３．
次に、本発明の他の実施の形態１３に係る移動体用機器配設装置について、説明する。
上記した実施の形態１〜１２では、インストゥルメントパネル１０２に設けられた表示部１０６の情報と、センターコンソールユニット２００、２２００に設けられた表示部２２０、表示部２２５０、表示ユニット３０００に設けられた表示部３０２０の情報との関係について説明していなかったが、これらの表示部に送信部と受信部を設けても良い。
【０１４７】
即ち、一方の表示部で表示している内容を互いの送受信部を用いて他方の表示部に表示するようにしてもよく、自動車内に多くの搭乗者がいる際など、全員で同じ情報を共有できため、装置の使用範囲を広げることができ、使用者の利便性が向上する。
なお、上記送受信部は、赤外線を用いたものや、Ｂｌｕｅｔｏｏｔｈの技術などを用いてもよい。
【０１４８】
実施の形態１４．
次に、本発明の他の実施の形態１４に係る移動体用機器配設装置について、説明する。
上記した実施の形態１、２では、センターコンソールユニット２００、２２００の設定値としてセンターコンソールユニット２００、２２００の移動設定値と、表示部の突出設定値と、操作部の突出設定値の３種類の設定値を記憶するように説明していたが、各設定値それぞれ一種類のみの設定値だけで構成してもよく、記憶手段のメモリ容量を極力小さくできる上、装置の利便性も得ることができる。
【０１４９】
以上のように、この発明にかかる移動体用機器配設装置は、自動車等の移動体において、音響機器や映像再生機器を配設し、これを自動車の前後方向に沿って移動可能にした移動体用の機器配設装置として用いるのに適している。
【図１】
0004270881.tif 000002
【図２】
0004270881.tif 000003
【図３】
0004270881.tif 000004
【図４】
0004270881.tif 000005
【図５】
0004270881.tif 000006
【図６】
0004270881.tif 000007
【図７】
0004270881.tif 000008
【図８】
0004270881.tif 000009
【図９】
0004270881.tif 000010
【図１０】
0004270881.tif 000011
【図１１】
0004270881.tif 000012
【図１２】
0004270881.tif 000013
【図１３】
0004270881.tif 000014
【図１４】
0004270881.tif 000015
【図１５】
0004270881.tif 000016
【図１６】
0004270881.tif 000017
【図１７】
0004270881.tif 000018
【図１８】
0004270881.tif 000019
【図１９】
0004270881.tif 000020
【図２０】
0004270881.tif 000021
【図２１】
0004270881.tif 000022
【図２２】
0004270881.tif 000023
【図２３】
0004270881.tif 000024
【図２４】
0004270881.tif 000025
【図２５】
0004270881.tif 000026
【図２６】
0004270881.tif 000027
【図２７】
0004270881.tif 000028
【図２８】
0004270881.tif 000029
【図２９】
0004270881.tif 000030
【図３０】
0004270881.tif 000031
【図３１】
0004270881.tif 000032
【図３２】
0004270881.tif 000033
【図３３】
0004270881.tif 000034
【図３４】
0004270881.tif 000035
【図３５】
0004270881.tif 000036
【図３６】
0004270881.tif 000037
【図３７】
0004270881.tif 000038
【図３８】
0004270881.tif 000039
【図３９】
0004270881.tif 000040
【図４０】
0004270881.tif 000041
【図４１】
0004270881.tif 000042
【図４２】
0004270881.tif 000043
【図４３】
0004270881.tif 000044
【図４４】
0004270881.tif 000045
【図４５】
0004270881.tif 000046
【図４６】
0004270881.tif 000047
【図４７】
0004270881.tif 000048
【図４８】
0004270881.tif 000049
【図４９】
0004270881.tif 000050
【図５０】
0004270881.tif 000051
【図５１】
0004270881.tif 000052
【図５２】
0004270881.tif 000053
【図５３】
0004270881.tif 000054
【図５４】
0004270881.tif 000055
【図５５】
0004270881.tif 000056